(57)【要約】下記の各段階を実施することを特徴とするＤＮＡ試料中のシトシンメチル化の実証方法。調査されるＤＮＡ及びバックグラウンドＤＮＡを含むゲノムＤＮＡ試料を、メチル化されないシトシン塩基はウラシルに変化させ、一方、５−メチルシトシン塩基は変化させずに、そのまま残るように化学処理し、化学処理されたＤＮＡ試料は、少なくとも、二つのプライマーオリゴヌクレオチッド及びポリメラーゼの存在下に増幅し、このとき、バックグラウンドＤＮＡに対して、調査されるＤＮＡを鋳型として優先させ、増幅産物を解析し、増幅産物の提示された実体及び／または、更なる位置の解析結果から、調査されるＤＮＡにおけるメチル化状態を推定する。【特許請求の範囲】
【請求項１】
下記の各段階を実施することを特徴とするＤＮＡ試料中のシトシンメチル化の実証方法。
調査されるＤＮＡ及びバックグラウンドＤＮＡを含むゲノムＤＮＡ試料を、メチル化されないシトシン塩基はウラシルに変化させ、一方、５−メチルシトシン塩基は変化させずに、そのまま残るように化学処理し、化学処理されたＤＮＡ試料は、少なくとも、二つのプライマーオリゴヌクレオチッド及びポリメラーゼの存在下に増幅し、このとき、バックグラウンドＤＮＡに対して、調査されるＤＮＡを鋳型として優先させ、増幅産物を解析し、増幅産物の提示された実体及び／または、更なる位置の解析結果から、調査されるＤＮＡにおけるメチル化状態を推定する。
【請求項２】
ＤＮＡ試料を個体の血清または他の体液から得ることを特徴とする請求項１に記載の方法。
【請求項３】
ＤＮＡ試料を細胞系、血液、痰、尿、腎臓、血清、脳脊髄液；例えば、眼球、腸、腎臓、脳、心臓、前立腺、肺、乳房または肝臓等の各組織のパラフィン埋蔵標本；組織の顕微鏡標本及びこれらの可能な組合わせから得ることを特徴とする請求項１に記載の方法。
【請求項４】
化学処理を重亜硫酸塩（＝酸性亜硫酸塩、亜硫酸水素塩）で実施することを特徴とする請求項１〜３の何れか１項に記載の方法。
【請求項５】
化学処理が、ＤＮＡをアガロースに埋蔵して行なわれることを特徴とする請求項４に記載の方法。
【請求項６】
化学処理が、二重鎖ＤＮＡ変性剤及び／またはラジカル捕捉剤の存在下、行なわれることを特徴とする請求項４に記載の方法。
【請求項７】
第二段階の増幅が、一つの５’−ＣＧ−３’ジヌクレオチッドまたは一つの５’−ＴＧ−３’ジヌクレオチッドまたは一つの５’−ＣＡ−３’ジヌクレオチッドに結合する、少なくとも、更なるオリゴヌクレオチッドの一種またはＰＮＡオリゴマーの一種の存在下、行なわれ、その際、更なるオリゴヌクレオチッドまたはＰＮＡオリゴマーが、優先的に、バックグラウンドＤＮＡに結合し、その増幅反応を阻害することを特徴とする請求項１〜６の何れか１項に記載の方法。
【請求項８】
更なるオリゴヌクレオチッドまたはＰＮＡオリゴマーのバックグラウンドＤＮＡへの結合位置が、プライマーのバックグラウンドＤＮＡへの結合位置と重複し、更なるオリゴヌクレオチッドが、少なくとも一つの、プライマーオリゴヌクレオチッドのバックグラウンドＤＮＡへの結合を阻害することを特徴とする請求項７に記載の方法。
【請求項９】
少なくとも、二つの、更なるオリゴヌクレオチッドまたはＰＮＡオリゴマーが組入れられ、その際、それらの結合位置が、再び、プライマーのバックグラウンドＤＮＡへの結合位置と重複し、更なるオリゴヌクレオチッド及び／またはＰＮＡオリゴマーが、二つのプライマーオリゴヌクレオチッドのバックグラウンドＤＮＡへの結合を阻害することを特徴とする請求項７または８に記載の方法。
【請求項１０】
更なるオリゴヌクレオチッド及び／またはＰＮＡオリゴマーの一種がフォワードプライマーの結合を阻害し、一方、他の、逆プライマーの結合を阻害するすることを特徴とする請求項９に記載の方法。
【請求項１１】
更なるオリゴヌクレオチッド及び／またはＰＮＡオリゴマーがプライマーオリゴヌクレオチッドに比較して、５倍の濃度であることを特徴とする請求項７〜１０の何れか１項に記載の方法。
【請求項１２】
更なるオリゴヌクレオチッド及び／またはＰＮＡオリゴマーがバックグラウンドＤＮＡに結合し、それによってポリメラーゼ反応におけるプライマーオリゴヌクレオチッドの完全な伸長を阻害することを特徴とする請求項７に記載の方法。
【請求項１３】
使用されたポリメラーゼが５’−３’エキソヌクレアーゼ活性を示さないことを特徴とする請求項１２に記載の方法。
【請求項１４】
更なるオリゴヌクレオチッドがその５’末端で反応し、それによって、５’−３’エキソヌクレアーゼ活性を有するポリメラーゼの一種による著しい分解が起こされ得ないことを特徴とする請求項１２に記載の方法。
【請求項１５】
プライマーに付加的に使用されるオリゴヌクレオチッドが３’−ＯＨの機能を自由に使用できないことを特徴とする請求項７〜１４の何れか１項に記載の方法。
【請求項１６】
化学処理されたＤＮＡ試料が第二段階で、一つの５’−ＣＧ−３’ジヌクレオチッドまたは一つの５’−ＴＧ−３’ジヌクレオチッドまたは一つの５’−ＣＡ−３’ジヌクレオチッドで、ハイブリッド化される、少なくとも二つのプライマーオリゴヌクレオチッド及び更なるオリゴヌクレオチッド、または、一つのＰＮＡオリゴマー及び一つの５’−ＣＧ−３’ジヌクレオチッドまたは一つの５’−ＴＧ−３’ジヌクレオチッドまたは一つの５’−ＣＡ−３’ジヌクレオチッドで、ハイブリッド化される、少なくとも一つの、リポーターオリゴヌクレオチッドならびに、増幅されるポリメラーゼの一種の使用下、更なるオリゴヌクレオチッドまたはＰＮＡオリゴマーが優先的にバックグラウンドＤＮＡに結合し、その増幅を抑制し、リポーターオリゴヌクレオチッドが優先的に調査されるＤＮＡに結合し、その増幅を示すことを特徴とする請求項１〜１５の何れか１項に記載の方法。
【請求項１７】
蛍光色素で標識化されたオリゴマーをリポーターオリゴヌクレオチッドに添加し、このオリゴマーは、直接リポーターオリゴヌクレオチッドの近傍にハイブリッド化され、この蛍光によるハイブリッド化が共鳴エネルギー転移を示すことを特徴とする請求項１６に記載の方法。
【請求項１８】
タクマンアッセイが行なわれることを特徴とする請求項１６または１７に記載の方法。
【請求項１９】
光サイクラーアッセイが行なわれることを特徴とする請求項１６または１７に記載の方法。
【請求項２０】
リポーターオリゴヌクレオチッドが少なくとも一つの蛍光標識を有することを特徴とする請求項１６〜１９の何れか１項に記載の方法。
【請求項２１】
リポーター分子が蛍光物質の増加または減少により、増幅を示すことを特徴とする請求項１６〜２０の何れか１項に記載の方法。
【請求項２２】
蛍光物質の増加または減少を直接解析に使用し、蛍光信号から、解析すべきＤＮＡのメチル化状態を決定することを特徴とする請求項２１に記載の方法。
【請求項２３】
バックグラウンドＤＮＡの濃度が調査されるＤＮＡの濃度の１００倍であることを特徴とする請求項１〜２２の何れか１項に記載の方法。
【請求項２４】
バックグラウンドＤＮＡの濃度が調査されるＤＮＡの濃度の１０００倍であることを特徴とする請求項１〜２３の何れか１項に記載の方法。
【請求項２５】
解析または請求項６〜１１の何れか１項に記載の方法において、オリゴマーアレーのハイブリッド化による解析が為され、その際、オリゴ核酸、または、そのハイブリッド化の特徴がＰＮＡsに類似する分子が、存在し得ることを特徴とする請求項１〜２４の何れか１項に記載の方法。
【請求項２６】
１２〜２２塩基長断片のオリゴマーを解析すべきＤＮＡにハイブリッド化し、これが各一つのＣＧ、ＴＧまたはＣＡジヌクレオチッドを含有することを特徴とする請求項２５に記載の方法。
【請求項２７】
解析すべきＤＮＡの、２０以上のメチル化位置のメチル化状態を一回の実験で実証することを特徴とする請求項２５または２６に記載の方法。
【請求項２８】
解析すべきＤＮＡの、６０以上のメチル化位置のメチル化状態を一回の実験で実証することを特徴とする請求項２５または２６に記載の方法。
【請求項２９】
解析または請求項１６〜１９における、増幅された、調査されるＤＮＡの鎖長の測定による、更なる解析が為され、その際、鎖長の測定方法が、ゲル電気泳動法、キャピラリー電気泳動法、クロマトグラフィー（例えば、ＨＰＬＣ）、質量分析及び他の適当な方法を含有することを特徴とする請求項１〜２４の何れか１項に記載の方法。
【請求項３０】
解析、または、請求項１６〜１９における、配列化による更なる解析が為され、その際、配列化の方法が、サンガー法、マクサムギルバート法及びハイブリッド化による配列化（ＳＢＨ）のような他の方法を含有することを特徴とする請求項１〜２４の何れか１項に記載の方法。
【請求項３１】
ＣpＧ位置毎、または、ＣpＧ位置の小グループの配列化が、それぞれ別のプライマーオリゴヌクレオチッドによって、実施され、プライマーの鎖長伸長がほんの一つ、または、２〜３の少ない塩基で為され、プライマー鎖長伸長法から、調査されるＤＮＡにおける当該位置のメチル化状態が推定されることを特徴とする請求項３０に記載の方法。
【請求項３２】
種々の、調査されるＣpＧ位置におけるメチル化度から、疾病、または、患者の他の医療状態が推定されることを特徴とする請求項１〜３１の何れか１項に記載の方法
【請求項３３】
増幅産物自体が、検出のために、実証可能な標識を帯びていることを特徴とする請求項１〜３２の何れか１項に記載の方法。
【請求項３４】
標識が蛍光標識であることを特徴とする請求項３３に記載の方法。
【請求項３５】
標識が放射性核種であることを特徴とする請求項３３に記載の方法。
【請求項３６】
標識が質量分析計で実証される、分離可能な質量標識であることを特徴とする請求項３３に記載の方法。
【請求項３７】
増幅において、プライマーの一つが、固相に結合していることを特徴とする請求項１〜３６の何れか１項に記載の方法。
【請求項３８】
増幅産物が全て質量分析計で実証され、その質量によって、一義的に同定されることを特徴とする請求項１〜３３の何れか１項に記載の方法。
【請求項３９】
患者または各個人にとって、好ましくない症状の診断及び／または予診のために、請求項１〜３８の何れか１項に記載の方法の使用。好ましくない症状は下記のカテゴリーの少なくとも一つに属する。
薬の副作用；癌；ＣＮＳ機能欠損、障害または疾病；攻撃的徴候または異常行動；脳障害による臨床的、心理的及び社会的帰結；精神異常及び人格異常；痴呆及び／または社会的徴候；心臓血管系疾患、その機能欠損及び傷害；胃腸の領域の機能欠損、傷害または疾病；呼吸器系の機能欠損、傷害または疾病；障害、炎症、感染、免疫性及び／または回復期；発育期の偏向的な機能欠損、傷害または疾病；皮膚、筋肉、結合組織、または骨の機能欠損、傷害または疾病；内分泌系及び代謝系の機能欠損、傷害または疾病；頭痛または性的機能欠損。
【請求項４０】
細胞タイプまたは組織の区分または細胞分類の調査のための請求項１〜３９の何れか１項に記載の方法の使用。
【請求項４１】
重亜硫酸塩の一種を含有する薬剤、プライマー及び増幅産物製造のための３’−ＯＨ機能を所有しない他のオリゴヌクレオチッド、ならびに、選択的に、請求項１〜３８の何れか１項に記載の一つのアッセイの実施のための手引書を含むキット。
【発明の詳細な説明】
【技術分野】
【０００１】
本発明はＤＮＡ試料のシトシンメチル化の実証方法に関する。
【背景技術】
【０００２】
近年の分子生物学における手法の開発による研究的観察は遺伝子自体、この遺伝子のＲＮＡの解読、そこから発生する蛋白などについてである。個々の開発過程で、どの遺伝子が評価されるか、そして、いかにして、特定の細胞および組織における特定の遺伝子の活動及び阻害が制御されるか、は遺伝子またはゲノムのメチル化の程度及び性格と関連づけることができる。個々の遺伝子またはゲノムが変化したメチル化サンプルにおいて、病気の状態が表現される。
【０００３】
５−メチルシトシンはしばしば、共有結合反応させられる、真核細胞のＤＮＡの塩基である。これは例えば、遺伝子刷り込み時の転写規制及び腫瘍遺伝子において、一定の役割を演じる。遺伝子情報の構成部分としての５−メチルシトシンの同定は、それ故に、非常に興味ある問題である。５−メチルシトシンの位置は、５−メチルシトシンがシトシンと同様な塩基対挙動を示すので、配列化によっては同定することができない。ＰＣＲ増幅では５−メチルシトシンを有する後成的情報は完全に失われている。
【０００４】
比較的新しく、最も頻繁に使用されるＤＮＡの５−メチルシトシンの調査方法は、シトシンと重亜硫酸塩との特殊な反応に基づく。シトシンは後続するアルカリ加水分解により、ウラシルに変化し、これはその塩基対挙動がチミンに対応する。それに対して、５−メチルシトシンは、この条件下では変化しない。このようにして、元のＤＮＡが変化し、元来、シトシンのハイブリッド化挙動によっては、シトシンと区別できなかった５−メチルシトシンは、今や、通常の分子生物学的技法によって、唯一、残存するシトシンが、例えば、増幅及びハイブリッド化または配列化によって、実証され得るようになった。これら全ての技法は、現在、完全に利用し尽くされている塩基対に基づく。従来の技術では、感度に関して、調査されるＤＮＡをアガロースマトリックスに封入し、それによって、ＤＮＡの拡散及び変成復元化（重亜硫酸塩は単鎖ＤＮＡとのみ反応する）が阻害され、全ての沈殿および精製工程が迅速な透析によって、取って代られる（Olek A、Oswald J、Walter J. 変化し、改善された重亜硫酸塩ベースのシトシンメチル化分析。Nucleic Acids Res.1996 Dec 15; 24 (24): 5064〜6）。これらの方法によって、個々の細胞を調べることができ、この方法の潜在的効果が具体的に説明される。勿論、これまでに、単に、個々の領域で、約３，０００塩基対長までが調べられたに過ぎず、数千に及ぶ細胞のメチル化解析の調査は可能ではない。またこれらの方法では、僅かな量の試料からの小さな断片から、信頼性のある解析は不可能である。これらの方法では拡散防止の措置にも拘らず、マトリックスから、これら試料が逸失される。
【０００５】
５−メチルシトシンを実証する既知の可能性についての概観は、以下の概観の刊行物から知ることができる。即ち、Rein T、DePamphilis ML、Zorbas H. Identifying 5-methylcytosine and related modifications in DNA genomes. Nucleic Acids Res .1998 May 15; 26 (10): 2255〜64。重亜硫酸塩を使用した技法は、これまで僅かな例外[z. B. Zeschnigk M、Lich C、Buiting K、Doerfler W、Horsthemke B. A single-tube PCR test for the diagnosis of Angelman and Prader-Willi syndrome based on allelic methylation differences at the SNRPN locus. Eur J Hum Genet. 1997 Mar〜Apr; 5 (2)：94〜8 ]が研究の中で使用されていたに過ぎない。常に、既知の遺伝子の、短い、特殊な断片が、重亜硫酸塩処理によって、増幅されるか、または、相補的に配列されるか[Olek A 、Walter J. The pre-implantation ontogeny of the H19 methylation imprint、Nat Genet. 1997 Nov; 17（3）: 275〜6 ] または、個々のシトシン位置を、プライマー伸長反応 [Gonzalgo ML、Jones PA. Rapid quantitation of methylation differences at specific sites using methylation-sensitive single nucleotide primer extension (Ms-ＳNuPE) .Nucleic Acids Res. 1997 Jun 15; 25 (12): 2529〜31、WO-Patent 9500669] によって、または、一つの酵素断片[Xiong Z、Laird PW. COBRA: a sensitive and quantitative DNA methylation assay. Nucleic Acids Res. 1997 Jun. 15; 25 (12): 2532〜4 ]によって実証される。そのために、ハイブリッド化により実証される（Olek et al.、WO 99 28498）。
【０００６】
尿素はゲノムＤＮＡの５−メチルシトシンの配列前の重亜硫酸塩の処理の効率を高める[Paulin R、Grigg GW、Davey MW、Piper AA. 尿素はゲノムＤＮＡの５’−メチルシトシンの配列前の重亜硫酸塩の処理の効率を高める。Nucleic Acids Res. 1998 Nov 1; 26 (21): 5009〜10 ]。
【０００７】
その他の、個々の遺伝子のメチル化実証のために重亜硫酸塩技法を使用することについて、記載されている刊行物は以下のものである。
Grigg G、Clark S. Sequencing 5-methylcytosine residues in genomic DNA. Bioassays. 1994  Jun. ; 16 (6): 431〜6、431;  Zeschnigk M、Schmitz B、Dittrich B、Buiting K、Horsthemke B、Doerfler W、Imprinted segments in the human genome: different DNA methylation patterns in the Prader-Willi/Angelman syndorome region as determined by the genomic sequencing method. Hum mol Genet. 1997  Mar; 6 (3): 387〜95; Feil R、Charlton J、Bird AP、Walter J、Reik W. Methylation analysis on individual chromosomes: improved protocol for bisulphate genomic sequencing. Nucleic Acids Res.1994 Feb 25; 22 (4): 695〜6; Martin V、Ribieras  S、Song- Wong  X、Rio MC、Dante R. Genomic sequencing indicates a correlation between DNA hypomethylation in the 5' region of the pS2 gene and its expression in human breast cancer cell lines. Gene.1995 May 19; 157 (1〜2): 261〜4; WO 9746705、WO 9515373及びWO 95 45560。
【０００８】
更に公知の方法は、所謂、メチル化感受性ＰＣＲである[Herman  JG、Graff  JR、Myohanen S、 Nelkin BD、Baylin SB (1996)、 Methylation-specific PCR: CpG島のメチル化状態の新規なＰＣＲアッセイ。Proc Natl Acad Sci USA. Sep 3; 93 (18): 9821〜6]。この方法には、当該位置がメチル化されていないＤＮＡの重亜硫酸塩処理により発生する、配列のみをハイブリッド化するか、または、当該位置がメチル化されていないＤＮＡの重亜硫酸塩処理により発生する、核酸にのみ結合する、逆プライマーであるかの、何れかのプライマーが使用される。このプライマーで、その検出が、再び、プライマーが結合する、試料中のメチル化または非メチル化位置を提示する増幅産物により生産される。
【０００９】
より新しい方法は、メチル-ライト（Methyl-Light）として知られている、タクマン（Taqman）PCRによるシトシンメチル化の実証である（WO00/70090）。この方法により、個々のまたは少数の位置のメチル化状態を、直接ＰＣＲの過程で実証することが可能であるから、続いて産生物の分析をする必要がない。
【００１０】
オリゴマーアレーの製造における従来の技術の概観は１９９９年１月のネイチャージェネティックスの特別版に記載がある（Nature Genetics特別版、21巻１９９９年１月）。そこで引用されている文献及び、米国特許５９９４０６５号には、非特異的背景信号での、オリゴヌクレオチッドのような目的分子の 固体担体による製造方法が記載されている。
【００１１】
固定ＤＮＡアレーの調査には、多重蛍光マーカーを帯びたゾンデが使用されている。特に、その都度、ゾンデの５’−ＯＨにＣy３及びＣy５色素を一回帯びさせた蛍光マーカーが好適である。ハイブリッド化ゾンデの蛍光の検出は、例えば、コンフォカール顕微鏡を使用して行なわれる。Ｃy３及びＣy５色素は他の類似物と共に市販されている。
【００１２】
マトリックス補助レーザー脱離／イオン化質量分析（ＭＡＬＤＩ−ＴＯＦ）は分子生物学の解析において非常に有力な発展を齎した[Karas M、Hillenkamp F.１０，０００ダルトンを超える分子量の蛋白のレーザー脱離イオン化。Anal Chem. 1988  Oct. 15; 60 (20) : 2299〜301 ]。ある被分析物は光吸収性マトリックス中に埋め込まれる。短時間のレーザー照射によって、マトリックスが蒸発し、被分析分子は断片化せずに、ガス相に移行する。マトリックス分子の衝撃により、被分析物のイオン化が達成される。電圧をかけられてイオンが飛行管中へ加速される。分子量の差により、イオンは異なる強さで加速される。小さいイオンは大きいイオンよりも早い時期に検出器に達する。
【００１３】
ＭＡＬＤＩ−ＴＯＦ質量分析は蛋白質及びペプチッドの解析（分析）にとりわけ優れている。核酸の分析用としてはやや難点がある[Gut、I. G. und Beck S. (1995)、DNA and Matrix Assisted Laser Desorption Ionization Mass Spectrometry. Molecular Biology: Current Innovations and Future Trends 1: 147〜157 ]。核酸については、検出感度がペプチッドの場合の１００倍も悪く、断片の衝撃が増えるに従がって、超比例的に減少する。骨格に多くの負電荷を有している核酸は、マトリックスによるイオン化が本質的に非効率的である。ＭＡＬＤＩ−ＴＯＦ質量分析ではマトリックスの選択が、非常に重要な役割を演じる。
ペプチッドの脱離には、非常に細かい結晶の、有用なマトリックスを使用することが発見された。ＤＮＡのためには、幾つかの請求項記載のマトリックスがあり、その使用によって、感度の差異は減少しない。感度の差異は、ＤＮＡをペプチッドに類似するように化学変化させることにより、減少させることができる。通常の骨格の燐酸塩が、チオ燐酸塩によって、置換されるところの、核酸リンチオエートは、簡単なアルキル化反応によって、電荷的に中性なＤＮＡに変換される[Gut I. G.und Beck S. (1995)、ＤＮＡの選択的アルキル化及び質量分析による検出法。Nucleic Acids Res. 23: 1367〜1373 ]。チャージタッグスのこの変化したＤＮＡへの結合は、ペプチッドに見られるのと同じ程度の感度上昇を齎す。更なるチャージタッギングの利点は、変化しない基質の実証を著しく困難にする不純物の分析安定性を高めることである。
【００１４】
ゲノムＤＮＡは標準的方法によって、細胞、組織または他の試料から得られる。
この標準的方法はフリッチェ及びマニアティスによる、分子クローン：研究手引１９８９年のような参考文献に載っている。
【００１５】
これまでの、各種のメチル化解析の方法は、従来技術に従がったものである。本発明は、もし、他の、配列が同じＤＮＡ断片が、他の元来のものと同時に存在するときは、従来の方法では、体液または血清中の調査されるＤＮＡの増幅を達成できない、という問題を解決する。
【００１６】
調査されるＤＮＡ及び他の下記のバックグラウンドＤＮＡで挙げられた核酸が、調査されるＤＮＡとバックグラウンドＤＮＡの間を区別する状態にないので、使用されたプライマーが、同様に増幅される。これらＤＮＡsの区別の可能性は異なるメチル化型により生じた。従来の方法はメチル化感受性ＰＣＲ、短ＭＳＰである。[Herman JG、Graff JR、Myohanen S、Nelkin BD、Baylin SB (1996)、Methylation-specific PCR: CpG島のメチル化状態の新規なＰＣＲアッセイ。Proc Natl Acad Sci USA. Sep 3;  93 (18):  9821〜6]。これらの方法は、多くの部分的段階からなっている。先ず第一に、従来の技術に対応する重亜硫酸塩処理が行なわれ、この処理により、全てのシトシン塩基はウラシルに変化するが、一方、メチル化シトシン塩基（５−メチルシトシン）は変化せずそのままである。次の段階で、メチル化され、重亜硫酸塩で変化したＤＮＡに完全に、相補的であるプライマーのみが使用され、元々メチル化されていない、対応するＤＮＡには相補的でないものは使用されない。ＰＣＲの実施では、最終的に、元々メチル化されていたＤＮＡが増幅されるようなプライマーが使用される。それに対応する対策として、非メチル化ＤＮＡのみを増幅するプライマーを使用することが可能である。これらの方法で、解析すべきＤＮＡ及びバックグラウンドＤＮＡが存在するときは、バックグラウンドＤＮＡのＣpＧ位置におけるメチル化状態に関して、区別される限り、最終的に、調査されるべきＤＮＡ断片が選択的に生成される。今や従来技術は、そのような、調査されるＤＮＡ分子の実証からメチル化状態を逆推理するか、または、調査されるＤＮＡの提示からメチル化状態を逆推理することが、例えば、腫瘍患者の血清中のＤＮＡ濃度が部分的に急激に上昇するので、例えば、患者の腫瘍の診断においては原理的に可能である。腫瘍由来のＤＮＡのみが、そのとき、バックグラウンドＤＮＡ近傍で実証される。その他の、体液中のＤＮＡの解析は原理的に比較可能である。
【００１７】
ここに述べられた、最も新しい従来技術と見なされる方法は、幾つかの問題点を有している。それは、例えば、調査されるＤＮＡの、増幅された断片の実証可能性から、血清中に存在する量を決定することが不可能であることである。陽性の結果を得るには、僅かな量のＤＮＡで十分であり、それが利点であるが、例えば、腫瘍切除の効果を血清ＤＮＡで判断しようとすると、非常に問題点として働く。しかし、最大の問題点は、調査されるＤＮＡとバックグラウンドＤＮＡとを区別する唯一の手段であるメチル化の位置が多数存在することである。バックグラウンドＤＮＡが調査されるＤＮＡから、当該ＣpＧ位置で、常時、１００%区別できることが知られていれば、誤りの陽性結果が得られるようなリスクを冒すことを望まないが、現存のＭＳＰ法が、そのときだけ実施されることが明らかである。それと対照的に、腫瘍組織においては典型的である、特定の位置が例えば、腫瘍細胞の９５%がメチル化されており、その腫瘍細胞には、他に、バックグラウンドＤＮＡが存在するが、そのメチル化率は５％であり、それで、鋳型ＤＮＡの定量化が原理的に、ＰＣＲによっては不可能であるが、更に努力すれば、達成され得るので、ＭＳＰ法によっては、情報に値するような結果が得られない。またこの発明はメチル化のタイプが、しばしば、特殊タイプ細胞、例えば、腫瘍のＤＮＡ断片中に存在するという知識に基づいている。
【００１８】
従来技術は、調査されるＤＮＡとバックグラウンドＤＮＡとを、後成的方法で発展させた方法を含んでいる。重亜硫酸塩処理後に、同等に増幅し、ハイブリッド化された断片に含まれる前者のＣpＧ位置を、ミニ配列化または他の現時の方法を二者択一に使用して調べる。これは調査されるメチル化位置に関して、数量的形態が得られるという利点、即ち、多数のメチル化位置のメチル化度を決定することができ、この事実は例えば、強力な腫瘍の正確な分類を可能にする。この方法の不利な点は、バックグラウンドＤＮＡが、著しく優勢であり、調査されるＤＮＡとともに、正確に増幅され、両者が混合物として、解析されるような場合には、正確な情報を供給できない点である。この問題は強力な腫瘍の解析にあるのではない。この腫瘍では、調査される物質が目的の方法で選別されるが、例えば、血清ＤＮＡの解析を困難にする。
【発明を実施するための最良の形態】
【００１９】
本発明の目的は、従来技術の問題点を克服し、体液及び血清の検出に関する二つの方法の利点を結びつけることである。
【００２０】
課題は、以下の段階を実施して、ＤＮＡ試料中のシトシンのメチル化を実証する方法により解決される。
調査されるＤＮＡ及びバックグラウンドＤＮＡを含むゲノムＤＮＡ試料を、メチル化されないシトシン塩基はウラシルに変化させ、一方、５−メチルシトシン塩基は変化されずに、そのままであるように化学処理し、化学処理されたＤＮＡ試料は、少なくとも、二つのプライマーオリゴヌクレオチッド及びポリメラーゼの存在下に増幅し、このとき、バックグラウンドＤＮＡに対して、調査されるＤＮＡを鋳型として優先させ、増幅産物を解析し、増幅産物の提示された実体及び／または、更なる位置の解析結果から、調査されるＤＮＡにおけるメチル化状態を推定する。
【００２１】
本発明においてはＤＮＡ試料を各個体の血清または他の体液から得ることが好ましい。
【００２２】
更に、本発明においてはＤＮＡ試料を細胞系、血液、痰、尿、腎臓、血清、脳脊髄液；例えば、眼球、腸、腎臓、脳、心臓、前立腺、肺、乳房または肝臓等の各組織のパラフィン埋蔵標本；組織の顕微鏡標本及びこれらの可能な組合わせから得ることが好ましい。
【００２３】
本発明においては、化学処理を重亜硫酸塩（＝酸性亜硫酸塩、亜硫酸水素塩）で実施することが特に好ましく、化学処理をＤＮＡをアガロースに埋蔵して行なうことが好ましい。化学処理を、二重鎖ＤＮＡ変性剤及び／またはラジカル捕捉剤の存在下に行なうことが更に好ましい。
【００２４】
第二段階の増幅が、一つの５’−ＣＧ−３’ジヌクレオチッドまたは一つの５’−ＴＧ−３’ジヌクレオチッドまたは一つの５’−ＣＡ−３’ジヌクレオチッドに結合する、少なくとも、更なるオリゴヌクレオチッドの一種またはＰＮＡオリゴマーの一種の存在下、行なわれ、その際、更なるオリゴヌクレオチッドまたはＰＮＡオリゴマーが、優先的に、バックグラウンドＤＮＡに結合し、その増幅反応を阻害することが好ましい。
【００２５】
更なるオリゴヌクレオチッドまたはＰＮＡオリゴマーのバックグラウンドＤＮＡへの、これらの結合位置が、プライマーのバックグラウンドＤＮＡへの結合位置と重複し、更なるオリゴヌクレオチッドが、少なくとも一つの、プライマーオリゴヌクレオチッドのバックグラウンドＤＮＡへの結合を阻害することが特に好ましい。
【００２６】
少なくとも、二つの、更なるオリゴヌクレオチッドまたはＰＮＡオリゴマーが組入れられ、その際、それらの結合位置が、再び、プライマーのバックグラウンドＤＮＡへの結合位置と重複し、更なるオリゴヌクレオチッド及び／またはＰＮＡオリゴマーが、二つのプライマーオリゴヌクレオチッドのバックグラウンドＤＮＡへの結合を阻害することが、また、特に好ましい。
【００２７】
更なるオリゴヌクレオチッド及び／またはＰＮＡオリゴマーの一種がフォワードプライマーの結合を阻害し、一方、他の、逆プライマーの結合を阻害することが特に好ましい。
【００２８】
更なるオリゴヌクレオチッド及び／またはＰＮＡオリゴマーがプライマーオリゴヌクレオチッドに比較して、５倍の濃度であることが特に好ましい。
【００２９】
更なるオリゴヌクレオチッド及び／またはＰＮＡオリゴマーがバックグラウンドＤＮＡに結合し、それによってポリメラーゼ反応におけるプライマーオリゴヌクレオチッドの完全な伸長を阻害する、変化した本発明の方法が特に好ましい。このとき、使用されたポリメラーゼが５’−３’エキソヌクレアーゼ活性を示さないことが、特に好ましく、更に、更なるオリゴヌクレオチッドがその５’末端で反応し、それによって、５’−３’エキソヌクレアーゼ活性を有するポリメラーゼの一種による著しい分解が起こされ得ない変法が特に好ましい。
【００３０】
更に、本発明においては、化学処理されたＤＮＡ試料が第二段階で、一つの５’−ＣＧ−３’ジヌクレオチッドまたは一つの５’−ＴＧ−３’ジヌクレオチッドまたは一つの５’−ＣＡ−３’ジヌクレオチッドで、ハイブリッド化される、少なくとも二つのプライマーオリゴヌクレオチッド及び更なるオリゴヌクレオチッド、または、一つのＰＮＡオリゴマー、及び一つの５’−ＣＧ−３’ジヌクレオチッドまたは一つの５’−ＴＧ−３’ジヌクレオチッドまたは一つの５’−ＣＡ−３’ジヌクレオチッドで、ハイブリッド化される、少なくとも一つの、リポーターオリゴヌクレオチッド、ならびに、増幅されるポリメラーゼの一種の使用下、更なるオリゴヌクレオチッドまたはＰＮＡオリゴマーが優先的にバックグラウンドＤＮＡに結合し、その増幅を抑制し、リポーターオリゴヌクレオチッドが優先的に調査されるＤＮＡに結合し、その増幅を示すことが、本発明においては更に好ましい。その際、蛍光色素で標識化したオリゴマーをリポーターオリゴヌクレオチッドに添加し、このオリゴマーは、直接リポーターオリゴヌクレオチッドの近傍にハイブリッド化され、この蛍光によるハイブリッド化が共鳴エネルギー転移を示すことが、好都合である。更にこのとき、タクマンアッセイが行なわれることが好都合であり、光サイクラーアッセイが行なわれることが好ましい。
【００３１】
更に、本発明においては、プライマーに添加して使用するオリゴヌクレオチッドは３’−ＯＨ機能を意のままに使用することができないことが好ましい。更に、リポーターオリゴヌクレオチッドが、少なくとも、一つの蛍光標識を有することが好ましい。更に、リポーター分子が蛍光の増加または減少により、増幅を示すことが好ましい。このとき、蛍光の増加または減少を直接解析に使用し、蛍光信号から、解析すべきＤＮＡのメチル化状態を決定することが特に好ましい。
【００３２】
バックグラウンドＤＮＡの濃度が調査されるＤＮＡの濃度の１００倍であることが好ましい。バックグラウンドＤＮＡの濃度が調査されるＤＮＡの濃度の１０００倍であることが更に、好ましい。
【００３３】
解析または場合によっては、オリゴマーアレーのハイブリッド化による更なる解析が為され、その際、オリゴマー核酸またはそのハイブリッド化の特徴がＰＮＡsに類似する分子が存在し得ることが、更に好ましい。
【００３４】
本発明においては、１２〜２２塩基長断片のオリゴマーを解析すべきＤＮＡにハイブリッド化し、これが各一つのＣＧ、ＴＧまたはＣＡジヌクレオチッドを含有することが好都合である。
【００３５】
解析すべきＤＮＡの、２０以上のメチル化位置のメチル化状態を一回の実験で実証することが好ましい。
【００３６】
解析すべきＤＮＡの、６０以上のメチル化位置のメチル化状態を一回の実験で実証することが、更に好ましい。
【００３７】
本発明においては、解析または増幅された、調査されるＤＮＡの鎖長の測定による、更なる解析が為され、その際、鎖長の測定方法が、ゲル電気泳動法、キャピラリー電気泳動法、クロマトグラフィー（例えば、ＨＰＬＣ）、質量分析及び他の適当な方法を含有することが好ましい。その際、配列化の方法が、サンガー法、マクサムギルバート法及びハイブリッド化（ＳＢＨ）による配列化のような他の方法を含有することが好ましい。
【００３８】
ＣpＧ位置毎の、または、ＣpＧ位置の小グループの配列化が、それぞれ別のプライマーオリゴヌクレオチッドによって、実施され、プライマーの鎖長伸長がほんの一つまたは２〜３の少ない塩基で為され、プライマー鎖長伸長法から調査されるＤＮＡにおける当該位置のメチル化状態が推定されるような、本発明の方法が好ましい。
【００３９】
種々の、調べられたＣpＧ位置におけるメチル化度から、疾病または患者の他の医療状態が推定されることが更に好ましい。
【００４０】
増幅産物自体が、検出のために、実証可能な標識を備えていることが好都合である。更に、標識が蛍光標識であること、及び／または、標識が放射性核種であること、及び／または、標識が質量分析計で実証される、分離可能な質量標識であることが好都合である。
【００４１】
増幅において、プライマーの一つが固相に結合していることが更に好ましい。
【００４２】
本発明においては、増幅産物が全て質量分析計で実証され、その質量によって、一義的に同定される。
【００４３】
本発明の更なる対象は、本発明の方法を、患者または各個人にとって、好ましくない症状の診断及び／または予診のために使用することであり、その好ましくない症状は下記のカテゴリーの少なくとも一つに属する。
薬の副作用；癌；ＣＮＳ機能欠損、障害または疾病；攻撃的徴候または異常行動；脳障害による臨床的、心理的及び社会的帰結；精神異常及び人格異常；痴呆及び／または社会的徴候；心臓血管系疾患、その機能欠損及び傷害；胃腸の領域の機能欠損、傷害または疾病；呼吸器系の機能欠損、傷害または疾病；障害、炎症、感染、免役性及び／または回復期；発育期の偏向的な機能欠損、傷害または疾病；皮膚、筋肉、結合組織、または骨の機能欠損、傷害または疾病；内分泌系及び代謝系の機能欠損、傷害または疾病；頭痛または性的機能欠損。
【００４４】
細胞タイプまたは組織の区分または細胞分類の調査のための本発明の使用が好都合である。
【００４５】
本発明の対象は、重亜硫酸塩の一種を含有する薬剤、プライマー及び増幅産物製造のための３’−ＯＨ機能を所有しない他のオリゴヌクレオチッド、ならびに、選択的に、本発明における一つのアッセイの実施のための手引書からなるキットである。
【００４６】
本発明はゲノムＤＮＡのメチル化状態の検出方法である。これまで知られた方法に対して、例えば、血清中のＤＮＡ断片の下位グループのＣpＧ位置の一揃いのメチル化状態が決められるので、診断に無関係なバックグラウンドＤＮＡの過剰量の存在下で解析が可能である。
【００４７】
このとき、好ましい本発明は以下に要約するような多数の段階からなる。
先ず、患者から血清及び／または他の体液が採取され、必要ならば、その中に存在するＤＮＡが分離される。次いで、第二段階で、化学処理が、好ましくは、重亜硫酸塩（＝酸性亜硫酸塩、亜硫酸水素塩）で実施される。このとき、例えば、メチル化されないシトシン塩基はウラシルに変化し、一方、メチル化シトシン塩基（５−メチルシトシン）は変化せずに、そのまま残る。第三段階で、増幅が実施され、調査されるＤＮＡが増幅され、僅かな量のバックグラウンドＤＮＡは増幅されない。次いで、第四段階で、増幅された断片がそのメチル化符号に基づき解析され、増幅産物中の以前の多数のＣpＧ位置のメチル化度が決定される。第五段階で、多くの、調査されたＣpＧ位置のメチル化度から、患者の疾病または他の医療状態の実体が決定される。
【００４８】
本発明の本質は、二種類のＣpＧ位置が、一つの役割を演じ、同様に解析に貢献し、次いで、この二種類のＣpＧ位置が評価的位置及び分類的位置と命名されることである。評価的位置は増幅において、解析されるＤＮＡとバックグラウンドＤＮＡを区別する働きをする。これは、技術的に、下記に詳述するように、異なる種類及び方法により為される。この位置の特性は、調査されるＤＮＡのメチル化度が可能な限りバックグラウンドＤＮＡと異なり、増幅では、調査されるＤＮＡが優先することである。分類的位置は、これと対照的に、調査されるＤＮＡからよりも、増幅産物から、その都度、メチル化度について診断にとって重要な情報を引き出す働きをする。数百の分類的位置が解析のために使用され、そんなに多くはないが、例えば、オリゴマーアレーの解析に使用される。この場合、調査結果にとって重要な、一定の増幅産物が生成するのではなく、むしろ、同じ増幅産物におけるＣpＧ位置の解析が行なわれる。二、三の場合、増幅産物の生成から導かれる情報が解析に関係があることが確実、可能で、有意義であり、この場合は、二、三の位置が同等に分類的且つ評価的である。
【００４９】
本発明の方法の第一段階では、試料の入手では、例えば、痰または血清などの体液から採取するのが好ましく、明らかに、本発明の方法は、ここで、請求項以外で列挙される、異なる採取源からの多数の試料が使用可能である。
【００５０】
本発明の方法で、ゲノムＤＮＡはＤＮＡ試料から得られる。このＤＮＡ源は、例えば、細胞系、血液、痰、尿、腎臓、血清、脳脊髄液；例えば、眼球、腸、腎臓、脳、心臓、前立腺、肺、乳房または肝臓等の各組織のパラフィン埋蔵標本；組織の顕微鏡標本及びこれらの可能な組合わせを含む。
【００５１】
重亜硫酸塩処理の幾つかの場合、重亜硫酸塩反応及び／または後続するＰＣＲの、過度の不純物による、阻害を避ける為に、ＤＮＡの清浄化と濃縮が行なわれる。例えば、処理後の組織からのＰＣＲは、例えば、プロテナーゼＫで、たちまち、清浄化が可能で、これは重亜硫酸塩処理及び後続するＰＣＲにとって重要であることが知られている。
【００５２】
化学的処理は好ましくは重亜硫酸塩処理（＝酸性亜硫酸塩、亜硫酸水素塩）で行なわれ、更に好ましくは、重亜硫酸ナトリウム（重亜硫酸アンモニウムは好適度ではやや低い）で行なわれる。この方法の公知の変法によれば、反応の間、ＤＮＡを単鎖状に保持さるために、ＤＮＡをアガロースに埋蔵して行なうか、または、新変法では、ラジカル捕捉剤及び変性剤、好ましくはオリゴエチレングリコールジアルキルエーテル、または、例えば、ジオキサンの存在下行なう。ＰＣＲ反応の前に、反応剤はアガロース法の場合は、洗浄またはＤＮＡ清浄化法（従来技術、沈殿または固相膜への結合）で、除去されるか、または、簡単に、ＰＣＲが大きな影響を受けない程度の濃度範囲まで希釈される。
【００５３】
第三段階で、評価的位置が選別され、調査されるＤＮＡの選択的増幅を許容する、好適な方法が選ばれる。位置の選別は、それがバックグラウンドＤＮＡと調査されるＤＮＡの間で、それらのメチル化に関して、区別が十分可能であるという前提によって行なわれる。そのためには先ず、腫瘍及び健常者のバックグラウンドＤＮＡの遺伝子の、問題になる断片のメチル化の概観が決められる。腫瘍ＤＮＡ及びバックグラウンドＤＮＡ（例えば血清中）の間の最大の差異を示す位置は、評価的位置として選別される。そのような位置は多くの遺伝子、例えば、GSTp１、HIC−１及びMGMTで既に公知である。[von Wronski MA、Harris LC、Tano K、Mitra S、Bigner DD、Brent TP. (1992) ヒト横紋筋肉腫細胞系及び異種移植片におけるシトシンメチル化及びO6-メチルグアニン-ＤＮＡメチルトランスフェラーゼ発現の抑制。Oncol Res. ; 4(4〜5): 167〜74；Esteller M、Toyota M、Sanchez- Cespedes M、Capella G、Peinado MA、Watkins DN、Issa JP、 Sidransky D、Baylin SB、Herman JG. (2000)、ＤＮＡ修復遺伝子O6-メチルグアニン-ＤＮＡメチルトランスフェラーゼの過メチル化による不活性化は結腸直腸の腫瘍形成のＫ−ラスにおける、ＧからＡへの突然変異に関係する。Cancer Res. May 1; 60 (9): 2368〜71]。調査されるＤＮＡをこの評価的位置において、増幅するのに使用される、総じて好ましい、多数の方法がある。
【００５４】
我々にとっては、ＭＳＰに適合する反応、即ち、プライマーを使用し、完全に配列を増幅し、調査されるＤＮＡに重亜硫酸塩処理後に適合するが、しかし、同様に処理されたバックグラウンドＤＮＡには適合しないような反応、を実施することが可能である。換言すれば、プライマーがＤＮＡ断片を増幅し、その断片には、一つまたは、多数の評価的位置が存在し、元のＤＮＡのメチル化状態が、調査されるＤＮＡに特性的に、適応するときのみ、増幅が著しく行なわれ得るのである。原理的に簡単な変法である。これは（変法は）、評価的位置がＤＮＡ断片の一端または両端に存在せねばならず、即ち、分類的位置が評価的位置の間に存在せねばならぬという問題点を有している（または、一方に存在する評価的位置のみにおいて、後者が分類的位置の真中に存在する必要はない）。本発明は、好ましことではあるが、このようなＭＳＰ変法を実施することは、評価的位置と分類的位置の分布が少ないケースでのみ、理想的であるので、それが使用されるケースが比較的少ないということから、出発している。原理的に簡単に実施されることが、ここでは好ましいとして、挙げられている。
【００５５】
その方法においては、プライマーが評価的位置と重複しないか、または、これを増幅し、ＰＣＲ増幅がむしろ、プライマーとして機能せず、評価的位置に結合する、少なくとも一つの、他の、オリゴヌクレオチッドによって影響を受けるような、特に好ましい変法がある。
【００５６】
即ち、化学処理されたＤＮＡは原理的に、従来技術のように、二つのプライマーによって増幅される。二つのプライマーによって限定されているＤＮＡ断片内に、一つまたは多数の評価的位置が存在する。通常のＰＣＲに対して、これらの評価的位置に結合し、しかも、これらが、重亜硫酸塩処理前にメチル化または非メチル化されているとき選択的である、更なるオリゴヌクレオチッドが加えられる。調査されるＤＮＡはその後、好ましくは、加えられたオリゴヌクレオチッドがバックグラウンドＤＮＡの場合よりも、これらの評価的位置に結合するのが効果的でない場合に増幅される。換言すれば、加えられたオリゴヌクレオチッドはバックグラウンドＤＮＡの増幅を選択的に妨害する。
【００５７】
これら加えられるオリゴヌクレオチッドは、少なくとも、一つのＣＧ、ＴＧまたはＣＡジヌクレオチッドを含有する。これらは、更に、ＰＣＲ反応において加えられる、ポリメラーゼによって、それ自体が変化させられることはあり得ないという特性を有する。これは３’−デソキシオリゴヌクレオチッドまたは３’−
位置がその他の機能化されたオリゴヌクレオチッド、例えば、３’−Ｏ−アセチルオリゴヌクレオチッドの添加によって惹起されるのが好ましい。更にこれらオリゴヌクレオチッドはポリメラーゼによって分解されねばならぬ。これは好ましくは、ヌクレアーゼ活性欠如のポリメラーゼの使用、または、好ましくは、例えば、５’末端でチオエート架橋が示され、それ故、分解に対して抵抗性を示す。
【００５８】
更に、他の、特に好ましい変法は、オリゴヌクレオチッドのような意味に即した、この実験で使用される、ＰＮＡ（ペプチッド核酸）オリゴマーの使用である。
ＰＮＡオリゴマーはポリメラーゼで分解されず、また、これらによって伸長されもしない。それで、これらはこの変法にとって理想的に好適である。設計方法及びＤＮＡオリゴマーの合成法は従来技術である。
【００５９】
上述のように、多数の評価的位置及びその後の多数のバックグラウンドＤＮＡで、示されるメチル化状態が、このような方法において使用され得る。
【００６０】
調査されるＤＮＡの選択的増幅の後、公知の方法によって、多数の分類的位置のメチル化状態が決定され得る。
【００６１】
ＭＳＰにおいては、以下のように、評価的位置が、例えば、バックグラウンドＤＮＡにおいて、現実に１００％まで非メチル化で存在し、調査されるＤＮＡでは、メチル化で、存在している状況である限り、この場合、個々の場合の、あるＰＣＲ断片自体の生成は、十分情報的価値があることは明らかである。もし、ＰＣＲにおいて、優先的に、非メチル化バックグラウンドＤＮＡから重亜硫酸塩処理で形成される配列に結合する、オリゴヌクレオチッドを使用すれば、そのときは、少なくとも、調査されるＤＮＡの少量と同じ長さのＰＣＲで、 たった一つの産物が形成される。これは診断のための個々の場合において、十分であり、ＭＳＰのそれに類似する性質を有する方法を含んでいる。そのような手法は、好ましいものではないが、未だ、殆ど知られておらず、結果として、本発明の目的に属するものと見なされる。
【００６２】
幾つかの断片が同時に、例えば、多重ＰＣＲが行なわれるＰＣＲ反応で産生されることが好ましい。その設計においてはプライマーだけではなく、付加的に使用されているオリゴヌクレオチッドも互いに相補的であってはならない。他方、高度な多重化は、この場合、通常の場合より更に困難である。しかも、亜硫酸塩処理の場合、二本鎖ＤＮＡの異なるＧ及びＣの含有量に基づく、フォワードプライマーも逆プライマーも全く機能しない。この事実で、多重化が達成され、本質的に不利な点を補償する。
【００６３】
最も簡明な場合では、生成断片が実証される。分類的オリゴヌクレオチッドを解析せずに、ゲル電気泳動法、配列化、液体クロマトグラフィーまたはハイブリッド化のような、全ての、可能な公知の分子生物学的検出手法が考えられ得る。
前記の方法の各段階の特性制御が考えられ得る。上記のように、分類的位置のメチル化度の後続の解析は特に好ましい。
【００６４】
調査されるＤＮＡの、分類的オリゴヌクレオチッドの検出技術を内容とする前記、有益な方法による、好ましい増幅を組合わせる多数の可能性が存在する。
【００６５】
特に好適な検出技術はオリゴマーアレーのハイブリッド化及び例えば、プライマー伸長（ミニ配列化）反応である。オリゴマーアレーのハイブリッド化は最新の従来技術に対向するプロトコルの即時変化が使用され得る（Olek A、Olek S、Walter J; WO-Patent 9928498）。しかし、それによって、元の非メチル化ＣpＧ（分類的位置）を含むＤＮＡ断片をハイブリッド化し、対応する断片をハイブリッド化し、その都度、重亜硫酸塩処理及び増幅の前に、その中に、元のメチル化ＣpＧが含まれている、固相に固定されている、オリゴヌクレオチッドの塩基対からなる、オリゴマーの一つのアレーをハイブリッド化することが好ましい。この場合、特に、増幅産物または蛍光または放射性核種または分離可能な質量標識を付された増幅産物が好ましく、それで、ハイブリッド化後に塩基対の二つのオリゴヌクレオチッドに結合した断片をこれらのマーカーによって実証し、定量化することができる。例えば、完全にメチル化されたまたは非メチル化ＤＮＡによる実験の測定値によって、分類的位置のメチル化度を決定できるような強度比が得られる。そのようなオリゴマーアレー（図１）に基づき多数の断片及び分類的位置が同時に実証される。解析で得られた調査されるＤＮＡに対するバックグラウンドＤＮＡの比が決定され得るので、アレーが分類的位置を検出するオリゴマーを実験の制御のために含むことは、有意義であり、且つ、好ましい。
【００６６】
プライマー伸長反応は固相に固定されたオリゴヌクレオチッド上で行なわれる。
差し迫って必要ではないが、このプライマーの固定は、規定内で、多くの増幅産物中の多数の分類的位置が調査され、これが固相上で、一つのオリゴマーアレーに、容易に、一つの実験で実施可能である。プライマーが直接分類的位置の隣りにあり、伸長が、ただ、一つのヌクレオチッドのために行なわれることが、特に好ましい。単に、ジデソキシチミジン及びジデソキシシチジンがヌクレオチッドとして加えられ、これらが、その都度、異なる蛍光色素で標識され、このとき、勿論、他の、質量標識のような、識別可能な標識が考えられ、且つ、これが好適なことが特に好ましい。重亜硫酸塩処理及び増幅後、これより前のメチル化ＣＧがＣＧとして、非メチル化ＣＧがＴＧとして存在する。それ故、プライマー伸長反応はジデソキシシチジンまたはジデソキシチミジンの組入れを行なう。これら二つの末端形成体について、検出された蛍光標識の関係から、その都度の位置のメチル化度が決定される。グアニン誘導体なしで、ＴＧまたはＣＧ配列で、既に、一つの塩基の後に、これによって、プライマー伸長が完了するときは、この場合、ジデソキシシチジン及びジデソキシチミジンによるプライマー伸長を実施することが可能であり、好ましい。ジデソキシ−ＡＴＰ及びジデソキシ−ＧＴＰまたはそれらの誘導体に対応して、ＣＡ及びＣＧ類似体の識別による対向鎖の解析を実施することは同様に好ましい。
【００６７】
しかし、本発明の特に好ましい変法は、一つの実験で、評価的位置及び分類的位置を同時に検出することである。これはタクマン（Taqman）または光サイクラー技術変法を使用することによって達成される。このとき、調査されるＤＮＡの好ましい増幅を惹起するオリゴヌクレオチッドへ、他の蛍光標識されたオリゴヌクレオチッドが添加され、ＰＣＲ反応の間、蛍光物質の変化が測定される。このとき、主として、調査されるＤＮＡが増幅されるので、この蛍光物質の変化から、直接、異なる分類的ＣpＧ位置のメチル化状態に関する情報が優先的に得られる。異なるオリゴヌクレオチッドが異なる蛍光色素を有しているので、ＰＣＲの間の蛍光物質の変化は異なる位置毎に分離可能である。
【００６８】
メチル化状態に依存するこの蛍光物質を変化させることは、多数の方法により達成可能であり、そのうちの二つはここで例示される。
【００６９】
化学的処理によって、対応する位置が非メチル化されているＤＮＡから生成する配列に特異的に結合するか、または、化学的処理によって、対応する位置がメチル化されているＤＮＡから生成する、対応する配列に結合するオリゴヌクレオチッドゾンデが使用され得る。これらのゾンデは特に、消光及び標識として機能する二つの蛍光色素を帯びている。両者は同じオリゴヌクレオチッドに結合する。今、調査されるＤＮＡとのＰＣＲ反応が行なわれれば、ＰＣＲ反応は蛍光標識されたオリゴゾンデによってブロックされる。これらがポリメラーゼのヌクレアーゼ活性に対して抵抗性を持たないならば、非結合ゾンデはポリメラーゼによって分解されないので、鋳型ＤＮＡに結合するゾンデの、鋳型ヘのゾンデの結合効果に相関関係を有しない、分解がＰＣＲ反応の間に起こる。ゾンデの分解は、消光色素及び標識として機能する蛍光色素が互いに分離していること、及び、標識色素の蛍光物質の増加によって、直接、視覚で捕らえ得る。原理的に、ここでは、所謂タクマンアッセイの変法が重要である。
【００７０】
測定物は調査されるＤＮＡからの生成ＰＣＲ産物である。しかし、もし、調査される分類的位置がメチル化状態の中に存在するときに限り、化学的処理されたＤＮＡへのハイブリッド化によって、試料を検出できる。
他のメチル化状態の対応する分類的位置に結合する、ゾンデ含有対照試料はそれ故、目的に適い、且つ、好ましい。
【００７１】
ゾンデを区別し、それによって、多重化を達成するために、異なる放出波長を有する異なる蛍光染料は数種のゾンデに、まとめて消光体と共に使用されるのが好ましい。
【００７２】
このようなアッセイにおいては、評価的位置に結合し、バックグラウンドＤＮＡの著しい増幅を阻害する、オリゴヌクレオチッドが使用される。調査されるＤＮＡの増幅は、同じ位置が一つのゾンデによって上記のように調べられ、増幅が評価的位置に結合するゾンデによって実証されるように、解析され得る。この場合、分解しないオリゴヌクレオチッドを選択的に、バックグラウンドＤＮＡに結合させ、一方、蛍光標識を帯びたゾンデを調査されるＤＮＡに結合させることが特に好ましい。本発明の特に好ましい変法においては、ゾンデ及び好ましくは一つであって、二つを超えない、核塩基を有する分解しないオリゴヌクレオチッドが、同じ配列を示すことが特に好ましい。
【００７３】
本発明の特に好ましい変法では、多数のメチル化可能な位置が評価的位置として定義され、これらの位置に、少なくとも一つの、好ましくは、バックグラウンドＤＮＡに結合するオリゴヌクレオチッドならびに一つのゾンデが使用される。この場合、バックグラウンドＤＮＡの増幅が多数のオリゴヌクレオチッドによって抑制され、この方法は、特に、バックグラウンドＤＮＡの過剰量が調査されるＤＮＡに対して、特に大きいことが好適である。多くの場合、この変法及び一つの断片の多くの評価的位置の提示において、今日では、意のままに行なうことができる器具による、多くの異なる色素（４〜５以下）の同時検出を任意にはできないので、分類的位置の更なる調査は不要である。更なる分類的位置の調査が他の上記の検出技術の一つによって行なわれることが好ましい。
【００７４】
一つのゾンデで、多くの位置のメチル化度を同時に調査できることが好ましい。
【００７５】
メチル化状態の正確な定量化が望まれるならば、異なる色素を含む、二つの互いに競合する、ゾンデが組入れられ得ることが好ましい。このとき、一つは、調査されるＤＮＡにおける非メチル化位置の場合に、他の一つは、逆に、メチル化位置の場合に、結合するのが好ましい。異なる両色素の蛍光物質の増量の関係から、調査される位置のメチル化度が決定される。
【００７６】
ＰＣＲの間に、蛍光物質の変化が起こる、基本的に異なる本発明の方法は、光サイクラー技術として知られている。このとき、もし、これらが、直接、近くに存在すれば、即ち、１〜５ヌクレオチッドだけ互いに離れていれば、このとき、二つの色素間の蛍光共鳴エネルギー転移（ＦＲＥＴ）が起こり得る。そのとき、２番目の色素は、最初の色素の放出によって、刺激され、他の一つの波長の光が放射され、それが検出される。
【００７７】
当面のメチル化解析の場合において、分類的位置の当該化学的処理されたＤＮＡの蛍光標識されたゾンデのハイブリッド化が行なわれ、このゾンデの結合は、この位置での調査されるＤＮＡが、メチル化されているか、メチル化されていないかに依存している。このゾンデに直接隣接する他の蛍光色素を帯びた、他のゾンデが存在する。この結合は当該配列断片において、他のメチル化可能な位置が存在すれば、メチル化に依存して行なわれる。一方、増幅は、今や、ＤＮＡを増加させ、益々多くの蛍光標識されたゾンデが当該位置に隣接して、結合し、これらの、それにとって必須のメチル化状態が示される限り、それ故、増加するＦＲＥＴが測定される。
【００７８】
この方法においては、多数の異なる蛍光標識化された多重化が行なわれることが好ましい。
【００７９】
ここでは、また、評価的位置が測定されることが可能であり、好ましい。当該位置のバックグラウンドＤＮＡが非メチル化状態であり、化学的処理及び増幅後に、一つのＴＧジヌクレオチッドが、この位置にあることが明らかになり、これに対して、メチル化された調査されるＤＮＡには一つのＣＧジヌクレオチッドが存在することが、推定され、蛍光標識ゾンデがＣＧ含有配列に結合し、一方、標識されていない、競合しない、オリゴマーがバックグラウンドＤＮＡの対応するＴＧ配列に結合する。
【００８０】
このとき、非メチル化オリゴヌクレオチッドが、より短いゾンデオリゴヌクレオチッドに比較して、その明らかに高い融点に基づき、増幅を阻害することが、重要である。この場合、ゾンデ及び化学処理されたバックグラウンドＤＮＡに結合したオリゴマーが少数の塩基について、同一でない限り、これらは本質的に（５〜１５塩基だけ）長い。また、この場合、ＰＣＲにおける伸長を回避するために、全てのゾンデ及びオリゴヌクレオチッドはプライマーの３’末端で封鎖される。これは例えば、フォスフェートグループと共に行なわれる。
【００８１】
両方法は結果として、主として、ある場合には蛍光物質の測定値が減少し、他の場合には、測定値が増加するする点で、区別される。両者の場合、評価的位置でも分類的位置でも測定することができる。
【００８２】
本発明を要約すると、ＤＮＡ試料におけるシトシンのメチル化を実証する方法が特に好ましい。この方法においては、以下の各段階が実施される。
第一に、調査されるＤＮＡ及びバックグラウンドＤＮＡを含むゲノムＤＮＡ試料を、非メチル化シトシン塩基はウラシルに変化させ、一方、５−メチルシトシン塩基は変化させずに、そのまま残るように、化学的処理し、化学的処理されたＤＮＡ試料は、少なくとも、二つのプライマーオリゴヌクレオチッド及び一種のポリメラーゼの存在下に増幅し、このとき、バックグラウンドＤＮＡに対して、調査されるＤＮＡを鋳型として優先させ、次いで、増幅産物を解析し、得られた一つの増幅産物及び／または更なる位置の解析結果から、調査されるＤＮＡにおけるメチル化状態を推定する。
【００８３】
特に好ましい本発明の変法においては、ＤＮＡ試料は各個体の血清または他の体液から得られる。同様にして、ＤＮＡ試料は細胞系、血液、痰、尿、腎臓、血清、脳脊髄液；例えば、眼球、腸、腎臓、脳、心臓、前立腺、肺、乳房または肝臓等の各組織のパラフィン埋蔵標本；組織の顕微鏡標本及びこれらの可能な組合わせから得られる。
【００８４】
特に好ましい本発明の変法は、化学処理が重亜硫酸塩（＝酸性亜硫酸塩、亜硫酸水素塩）によって実施される。化学処理が、ＤＮＡをアガロースに埋蔵して行なわれることが好ましい。化学処理において、二重鎖ＤＮＡ変性剤及び／またはラジカル捕捉剤が添加されることが好ましい。
【００８５】
特に好ましい本発明の変法は、第二段階の増幅が、一つの５’−ＣＧ−３’ジヌクレオチッドまたは一つの５’−ＴＧ−３’ジヌクレオチッドまたは一つの５’−ＣＡ−３’ジヌクレオチッドに結合し、その際、更なるオリゴヌクレオチッドが、優先的に、バックグラウンドＤＮＡに結合し、その増幅反応を阻害するような、少なくとも一つの更なるオリゴヌクレオチッドの存在下に実施される。
【００８６】
第二段階で化学処理されたＤＮＡ試料が、少なくとも二つのプライマーオリゴヌクレオチッド、及び、一つの５’−ＣＧ−３’ジヌクレオチッドまたは一つの５’−ＴＧ−３’ジヌクレオチッドまたは一つの５’−ＣＡ−３’ジヌクレオチッドで、ハイブリッド化される、更なるオリゴヌクレオチッド、及び、一つの５’−ＣＧ−３’ジヌクレオチッドまたは一つの５’−ＴＧ−３’ジヌクレオチッドまたは一つの５’−ＣＡ−３’ジヌクレオチッドで、ハイブリッド化される、少なくとも一つの、リポーターオリゴヌクレオチッド、及び、一種のポリメラーゼで増幅され、その際、更なるオリゴヌクレオチッドが優先的にバックグラウンドＤＮＡに結合し、その増幅を抑制し、その際、リポーターオリゴヌクレオチッドが優先的に調査されるＤＮＡに結合し、その増幅を明示することが好ましい。
【００８７】
更なる一つの蛍光色素で標識化された、直接、リポーターオリゴヌクレオチッドの近傍にハイブリッド化され、この蛍光によるハイブリッド化が蛍光共鳴エネルギー転移（ＦＲＥＴ）により、実証されるオリゴマーをリポーターオリゴヌクレオチッドに添加することが好ましい。
【００８８】
解析のためにタクマンアッセイが行なわれることが好ましい。同様に、光サイクラーアッセイ（前記のように）が行なわれることが好ましい。
【００８９】
付加的にプライマーに使用されるオリゴヌクレオチドが３’−ＯＨ機能を自由に使用しないことが特に好ましい。
【００９０】
リポーター分子が蛍光の増加または減少により、増幅を告知し、蛍光の増加または減少を直接、解析に使用し、蛍光信号から、解析すべきＤＮＡのメチル化状態を決定することが特に好ましい。
【００９１】
本発明の特に好ましい変法においては、解析または他のオリゴマーアレーへのハイブリッド化による解析が為され、その際、オリゴマー核酸、または、そのハイブリッド化の特性がＰＮＡsに類似する分子が存在し得る。１２〜２２塩基長断片のオリゴマーが、解析すべきＤＮＡをハイブリッド化し、これが各々一つのＣＧ、ＴＧまたはＣＡジヌクレオチッドを含有することが好ましい。この方法によって、解析すべきＤＮＡの、２０以上のメチル化位置のメチル化状態を一回の実験で実証することが好ましく、解析すべきＤＮＡの、６０以上のメチル化位置のメチル化状態を一回の実験で実証することが特に好ましい。
【００９２】
本発明においては、増幅され、調査されるＤＮＡの鎖長の測定による、更なる解析が為され、その際、鎖長の測定方法が、ゲル電気泳動法、キャピラリー電気泳動法、クロマトグラフィー（例えば、ＨＰＬＣ）、質量分析及び他の適当な方法を含有することが特に好ましい。
【００９３】
本発明においては、配列化による更なる解析が為され、その際、配列化の方法が、サンガー法、マクサムギルバート法及びハイブリッド化による配列化のような他の方法（ＳＢＨ）を含有することが特に好ましい。また、ＣpＧ位置毎、または、ＣpＧ位置の小グループの配列化（サンガー法による）が、それぞれ別のプライマーオリゴヌクレオチッドによって、実施され、プライマーの鎖伸長がほんの一つまたは２〜３の少ない塩基で為され、プライマー鎖伸長法から調査されるＤＮＡにおける当該位置のメチル化状態が推定されることが好ましい。
【００９４】
本発明の特に好ましい変法においては、種々の、調査されたＣpＧ位置におけるメチル化度から、疾病、または、患者の他の医療状態が推定される。
【００９５】
増幅産物自体が、検出のために、実証可能な標識を備えていることが特に好ましい。この標識においては、蛍光標識、放射性核種、質量分析計で実証される、分離可能な質量標識であることが重要である。
【００９６】
更に、増幅において、プライマーの一つが固相に結合していることが好ましい。
【００９７】
本発明の変法においては、増幅産物全体が質量分析計で実証され、それによりその質量で一義的に決定されることが好ましい。
【００９８】
本発明の更なる対象は、患者または各個人にとって、好ましくない症状の診断及び／または予診のための、前記方法の使用であり、その際、これらの好ましくない症状は下記のカテゴリーの少なくとも一つに属する。
薬の副作用；癌；ＣＮＳ機能欠損、障害または疾病；攻撃的徴候または異常行動；脳障害による臨床的、心理的及び社会的帰結；精神異常及び人格異常；痴呆及び／または社会的徴候；心臓血管系疾患、その機能欠損及び傷害；胃腸の領域の機能欠損、傷害または疾病；呼吸器系の機能欠損、傷害または疾病；障害、炎症、感染、免役性及び／または回復期；発育期の偏向的な機能欠損、傷害または疾病；皮膚、筋肉、結合組織、または骨の機能欠損、傷害または疾病；内分泌系及び代謝系の機能欠損、傷害または疾病；頭痛または性的機能欠損。
【００９９】
細胞タイプまたは組織の区分または細胞の分類のための調査に、本発明の方法を使用することが好ましい。
【０１００】
本発明の更なる使用は、重亜硫酸塩の一種を含有する薬剤、プライマー及び増幅産物製造のための３’−ＯＨ機能を所有しない、他のオリゴヌクレオチッド、ならびに、選択的に、少なくとも、前記本発明の変法の一つの実施のための手引書を含むキットである。
【実施例】
【０１０１】
下記の実施例は本発明を解説するものである。
【０１０２】
（実施例１）
ＭＤＲ１遺伝子におけるＰＮＡブロックキング試料（ＰＣＲクランピング）の使用下の、ＭＤＲ１遺伝子のメチル化感受性増幅。
a)その結合位置がプライマーのそれと重複せず、且つ、ＰＮＡゾンデ（ＰＮＡブロッキング試料）によるメチル化特異性ＰＣＲ
先ず、重亜硫酸塩処理のためのＰＣＲの条件が定義され、その条件下に、ＰＮＡブロックキング試料の一つの対立遺伝子特異性のＰＣＲに対する影響を認識する。この最初の実験で、ＰＮＡ及びプライマー間の結合位置は重複しない。
【０１０３】
先ず、配列ＡＡＡＡＴＧＴＧＴＴの１１量体ＰＮＡプライマーの影響が、プライマーＴＡＡＧＴＡＴＧＴＴＧＡＡＧＡＡＡＧＡＴＴＡＴＴＧＴＡＧ及びＴＡＡＡＡＡＣＴＡＴＣＣＣＡＴＡＡＴＡＡＣＴＣＣＣＡＡＣによるＰＣＲにおいて試験された。ＰＣＲ反応におけるＰＮＡの影響はＰＣＲの標準的条件下に５５℃のアニール温度では測定不能である。ＭＤＲ１断片の増幅のために使用された標準サイクラープログラムには、下記のプログラム段階が使用された。
段階１：Ｔ＝９６℃、２０分；段階２：Ｔ＝９６℃、３０秒；段階３：Ｔ＝５６℃、１．１５分；段階４：Ｔ＝７２℃、２．００分；
段階２〜４までは、４０回サイクルで行なわれる。段階５：Ｔ＝７２℃、１５分；段階６：４℃まで冷却し、この温度を保持する。
この結果、増幅の一つの対立遺伝子特異性の抑制を達成するためにプライマー鎖長はアニール温度及びＰＮＡ試料の鎖長に、通常、適合させられねばならぬ。
【０１０４】
プライマーとＰＮＡに一つの通常のアニールを可能にするために、ＰＣＲ反応で、短い２１量体の鎖長を超えるプライマーＴＡＡＧＴＡＴＧＴＴＧＡＡＧＡＡＡＧＡＴＴ及びＡＡＴＣＣＣＣＡＴＡＡＡＣＴＴＡＣＣＡＡＡが他のより長い１３量体の鎖長のＰＮＡのＡＡＡＧＡＣＧＴＧＴＴＡＴで試験される。更なる試験は、上記配列が、塩基が３’末端で抜け落ちていることによってのみ区別される、１８、１９及び２０量体の鎖長のプライマーで実施される。２１量体の鎖長のプライマーはアニール温度変化度によって試験された。同時の開始点で、１３量体の鎖長の配列ＡＡＡＧＡＣＧＴＧＴＴＡＴのＰＮＡがそれぞれ、非メチル化対立遺伝子由来の配列に適合する配列ＡＡＡＧＡＴＧＴＧＴＴＡＴのＰＮＡに異なる濃度２０〜１００pmol/μlで添加される。ＰＣＲに対する明確な影響はアニール温度４９．４℃及び４６．７℃で、ＰＮＡの追加濃度７０および１００pmol/μlの添加で、観察される。効果は１８量体プライマーの使用で最も明確であった。
【０１０５】
さて、５４℃という低い伸長温度で、どの程度ＰＮＡsへの阻害影響があるかが調査された。
ここでは、ＰＣＲの開始に、前記１３量体ＰＮＡsまたは二つの１３量体ＰＮＡsを同時に、５０〜７０pmol/μlの濃度で添加する。
観察されることは、ＰＮＡsなしでの陽性制御に比べての、ＰＣＲの明確な抑制である（図２、アガロース電気泳動法、使用される１３量体ＰＮＡゾンデに対するＰＮＡsの濃度；注釈：ＭＤＲ１−５ＦＭ：１３量体ＰＮＡ、ＡＡＡＧＡＣＧＴＧＴＴＡＴ；ＭＤＲ１−５ＦＵ：１３量体ＰＮＡ、ＡＡＡＧＡＴＧＴＧＴＴＡＴ）。試験は、試験で使用されるＤＮＡの当該位置が圧倒的に非メチル化状態であり、そのことは重亜硫酸塩配列化により証明できることを示す。これら実験で、既に、非メチル化断片の好ましい増幅となる、ＰＮＡブロッキング試料の明確な対立遺伝子特異性が明示され得る。
【０１０６】
b)その結合位置がプライマーのそれと重複する（プライマー排斥）、ＰＮＡゾンデによるメチル化特異性ＰＣＲ（ＰＮＡブロッキング試料）。
上記実験では、プライマーはＰＮＡ目的配列が増幅される範囲の中央に確実に存在するように、選択された。もし、プライマー配列及びＰＮＡ配列は相互に限定されるかまたは重複していれば、その位置はより感受性の高いものであろう。ＰＮＡの配列特異性結合では、この配列で、既に、僅かのＰＮＡ濃度でみられたＰＮＡの効果が観察される。
【０１０７】
それがＰＮＡ配列と重複する（プライマー排斥）、この実験には配列がＴＴＡＴＧＴＧＡＡＴＴＴＴＧＡＡＡＧであるプライマーが選択される。反応の最初に、二つの１３量体ＰＮＡsである、ＡＡＡＧＡＣＧＴＧＴＴＡＴとＡＡＡＧＡＴＧＴＧＴＴＡＴが、３種類の濃度で添加される。
ＰＣＲ反応の完全な抑制は、既に、濃度２５pmol/μlで達成された。既に行なわれた実験では、ＰＣＲの完全な抑制が、二つのＰＮＡsの添加濃度７０pmol/μlで達成されることが知られている。
【０１０８】
c)非メチル化ＤＮＡに対応しない断片によるプライマー排斥
配列特異性結合の実証のために、更なる実験で、メチル化状態に関して、よく特徴を表している鋳型に対するＰＮＡsの影響力が調べられた。この実験のために使用された鋳型ＤＮＡは重亜硫酸塩処理され、完全な非メチル化ＤＮＡに対応する。
これらは鋳型としてＰＣＲに添加された。そのために、下記のプログラム段階が使用された。
段階１：Ｔ＝９６℃、２０分；段階２：Ｔ＝９６℃、３０秒；段階３：Ｔ＝４９℃、１．１５分；段階４：Ｔ＝５４℃、２．００分；
段階２〜４までは、３６回サイクルで行なわれる。段階５：Ｔ＝７２℃、１５分；段階６：４℃まで冷却し、この温度を保持する。
反応の最初に、前記の１３量体が３種類の濃度で添加された。この非メチル化鋳型の場合、この鋳型に適合するＰＮＡのＭＤＲ１−５−ＦＵ（３）が明確に、ＭＤＲ１−５−ＦＭより強力な影響力を有することが期待される。図３（注解、図２参照）には、比較的低濃度のＰＮＡの場合が示されている。
【０１０９】
この結果、ＰＣＲ反応に対する抑制は特異的に結合するＰＮＡsメチル化特異性増幅によって可能であることを示す。ＭＤＲ１に相補的でないＰＮＡsによる対照実験では、この重要な影響力、考慮の対象になる濃度で、ＰＣＲには及ばないことが示され得た（図示されない）。
【０１１０】
（実施例２）
ＧＳＴp１遺伝子の断片のメチル化感受性増幅
ＧＳＴp１遺伝子の特定のＣpＧ位置は前立腺癌の腫瘍標識として同定される。
実験のために選択されたプライマー対としてのＧＧＡＡＡＧＡＧＧＧＡＡＡＧＧＴＴＴＴ及びＴＡＣＴＡＡＡＡＡＣＴＣＴＡＡＡＣＣＣＣＡＴでは、一つのプライマーが、ＰＮＡ配列のＣＣＣＣＧＡＡＡＡＣＧＣＧ（または、ＣＣＣＴＧＡＡＡＡＴＧＴＧ）と厳密に隣接するように存在する。ＰＮＡ配列はＭＤＲ１断片に使用されるＰＮＡsとは異なり、三つの重要なＣpＧ位置を含有する。ＧＳＴp１断片の、調査される重要なＣpＧsは正常の、即ち、腫瘍患者由来ではないＤＮＡとして非メチル化である。反応開始時に、添加される、配列ＣＣＣＴＧＡＡＡＡＴＧＴＧであるＰＮＡのＧＳＴＰダウンは、それ故、ＰＣＲ反応に対する認識可能な影響を有し、しかし、対応する配列ＣＣＣＣＧＡＡＡＡＣＧＣＧであるＰＮＡのＧＳＴＰアップは影響を有さない。試験開始時にＰＮＡのＧＳＴＰダウンは、三種類の濃度で添加される。アニール温度の勾配（変化度）が試験される。
【０１１１】
実験の結果は図４に示されている。ＰＮＡ（ＧＳＴＰダウン）の添加によるＣＲの最も強力な抑制はアニール温度５５℃で実現することができる。陽性（ポジティブ）対照（ＰＮＡの追加なし）との比較から、ＰＣＲ反応が濃度２０pmol/μlのＰＮＡの追加によって、著しく抑制されることが解る。
【０１１２】
続いて、配列特異性（それによって、最終的にはメチル化感受性）結合を実証するために、最初の試料の非メチル化ＤＮＡ及び前立腺腫瘍組織由来のメチル化ＤＮＡＰＮの増幅に対する、ＰＮＡsのＧＳＴＰアップ及びＧＳＴＰダウンの影響が鋳型として対比させられる。
非メチル化ＤＮＡ及び前立腺ＤＮＡは鋳型としてＰＣＲに添加される。反応の
開始点で、ＰＮＡsのＧＳＴＰアップ及びＧＳＴＰダウンが、３種類の濃度で添加された。
【０１１３】
ＰＮＡsのＧＳＴＰダウンを添加すると、ダウンメチル化鋳型へ明瞭な影響を及ぼす。即ち、ＰＣＲはＰＮＡの添加濃度７０pmol/μlで、完全に抑制される。それに対して、ＰＮＡのＧＳＴＰアップの添加では、ＰＣＲに対するＰＮＡの影響は弱く、且つ、阻害的である。
【０１１４】
ＰＮＡのＧＳＴＰアップの前立腺組織の被試験ＤＮＡへの添加は、ＰＣＲヘの強い阻害的影響を与える（図５）。ＰＮＡの濃度７０pmol/μlの添加ＰＣＲを明確に抑制する。ＰＣＲの完全な抑制はＰＮＡ濃度５０pmol/μlで確認され得る。それに対して、ＰＮＡのＧＳＴＰダウンを前立腺ＤＮＡに添加すると、影響がそれより明確に弱い。ＰＮＡの濃度７０pmol/μlの添加では、ＰＣＲは完全には抑制されない。
【０１１５】
実験ブロックされたオリゴマーゾンデにより選択的に、一定の位置がメチル化または非メチル化された対立遺伝子を増幅することが可能であることを示す。本発明の内容において、当該位置が評価的位置として働く、即ち、バックグラウンドＤＮＡの望ましくないメチル化鋳型の増幅が選択的に抑制される。
【０１１６】
ＧＳＴＰ１遺伝子の例における、メチル化特異的にＰＣＲを抑制するゾンデの使用における複数の可能性
図６においては、与えられた鋳型配列において、メチル化感受性増幅の考えで、プライマーが配列される、多数の可能性が示される。解説のために、図６aは重亜硫酸塩処理による鋳型が示され、ＤＮＡ１は最初のメチル化ＤＮＡ試料に対応し、ＤＮＡ２は最初の非メチル化ＤＮＡ試料に対応する。
図６bは対立遺伝子特異性ＰＣＲまたはメチル化特異性ＰＣＲ（ＭＳＰ）の思考によるプライマーの一つの配列を示す。この場合、メチル化ＤＮＡ１の増幅が図示されるプライマーの使用下に行なわれ得る。
【０１１７】
図６c及び６dは、非メチル化特異性プライマーに対応して、添加される状態を示し、変性した位置の使用による場合（６c）、または、一般的な塩基（ここではイノシン）が図６dで示される。
【０１１８】
図７は、与えられた、鋳型配列プライマー及びゾンデ（ブロッカー）が、メチル化感受性増幅の思考で配列される様子を示す。この例では、使用されたプライマーはそれ自体、メチル化特異性ではなく、メチル化特異性はゾンデ（ブロッカー）によってのみ達成される。ＤＮＡ１及びＤＮＡ２には、特異性ゾンデがブロッカーとして使用される。
【０１１９】
図７aでは、プライマーとゾンデは重複しないで、ゾンデは直接プライマーの３’末端を閉じる。図示されるゾンデは、増幅では自体は伸長され得ない、３’末端が変性されたオリゴヌクレオチッドである。この例で融点に対応する短い、ＰＮＡsも使用され得る。図７bではここでは、ＤＮＡゾンデがプライマーと重複しないが、同じプライマーが使用される（プライマー排斥）。
【０１２０】
図７c及び７dでは、変性された位置に存在するプライマー及びメチル化特異性ゾンデが重複する。類似体は使用されるプライマーにおける一般的塩基である。
【０１２１】
図８には、何れのプライマーとも重複しない、ゾンデが使用されている、フォワード及び逆プライマーの類似例が示されている。
【０１２２】
これらの例は、解析されるＤＮＡに対してバックグラウンドＤＮＡを抑制するために、メチル化特異性増幅に使用され得るオリゴマーゾンデの多数の具体的可能性を示す。本発明の範囲はここで例示される実施例によって限定されない。
【０１２３】
（実施例４）
非メチル化及びメチル化ＤＮＡの製造及び重亜硫酸塩処理
メチル化ＤＮＡの製造のため、ヒトゲノムＤＮＡを、Ｓ−アデノシルメチオン及びＣpＧメチラーゼ（SssI、New England Biolabs）で、製造者の指図書にしたがって処理した。非メチル化ＤＮＡの製造のため、遺伝子断片ＥＬＫ−１を、ヒトゲノムＤＮＡ由来のプライマーであるＧＣＴＣＴＡＴＧＧＴＣＴＴＧＴＣＴＡＡＣＣＧＴＡ（ＳＥＱ−ＩＤ：１）及びＡＧＧＴＧＧＴＧＧＴＧＧＣＧＧＴＧＧ
（ＳＥＱ−ＩＤ：２）で、ＰＣＲによって増幅した。このようにして製造された非メチル化及びメチル化ＤＮＡは、ヒトゲノムＤＮＡと同様にして、重亜硫酸塩
（亜硫酸水素塩、重亜硫酸塩）の存在下、全ての塩基の５位置がメチル化されないシトシンは、塩基対挙動が異なる塩基となるように処理され、一方、塩基の５位置がメチル化されたシトシン変化せずそのまま残るように処理される。この反応には、重亜硫酸塩は０．１Mol〜６Mol濃度範囲で使用され、非メチル化シトシン塩基に付加される。化学処理は、変性剤またはラジカル捕捉剤のような溶剤を添加して行なわれる。最後にアルカリ加水分解によって、非メチル化シトシン核塩基がウラシルに変化する。この変化したＤＮＡはメチル化シトシンの実証に使用される。
【０１２４】
（実施例５）
Ｃy５で標識された遺伝子ゾンデの製造
重亜硫酸塩処理ＤＮＡ試料から出発して、ＥＬＫ−１遺伝子のプロモーター範囲由来の５９５塩基長の限定断片が増幅される。増幅はプライマーオリゴヌクレオチッドのＡＴＧＧＴＴＴＴＧＴＴＴＡＡＴＹＧＴＡＧＡＧＴＴＧＴＴＴ（ＳＥＱ−ＩＤ：３）及びＴＡＡＡＣＣＣＲＡＡＡＡＡＡＡＡＡＡＡＣＣＣＡＡＴＡＴ（ＳＥＱ−ＩＤ：４）によって行なわれる。蛍光色素Ｃy５で標識されたプライマーオリゴヌクレオチッドの使用により、断片は直接ＰＣＲ時に標識される。マトリックスＤＮＡとして、重亜硫酸塩処理（１）非メチル化、（２）メチル化及び（３）ヒトゲノムＤＮＡが使用される。最後に、これら、各々異なるハイブリッド化による、異なる３種のＤＮＡ断片が、特異的ＣpＧ位置におけるメチル化度について調べられる。
【０１２５】
（実施例６）
ハイブリッド化の実施及びハイブリッド化ＤＮＡチップの測定
実施例５で製造された遺伝子ソンデはＤＮＡチップにハイブリッド化される。チップ上には、前以って、オリゴヌクレオチッドが固定される。オリゴヌクレオチッド配列は実施例２で挙げられた、ＥＬＫ−１遺伝子の増幅された断片から導かれ、直接周辺に挿入される、ＣＧジヌクレオチッドを代表する。オリゴヌクレオチッドの鎖長は１４〜２２であり、そのオリゴヌクレオチッド内のＣＧジヌクレオチッドの位置は変化する。ハイブリッド化の後、ＤＮＡチップはスキャンされ（図１参照）、ハイブリッド信号は数値として測定される（データは示されていない）。オリゴヌクレオチッドのハイブリッド化の結果、即ち、ＣＴＡＣＴＣＡＡＣＧＡＡＡＡＣＡＡＡ（ＳＥＱ−ＩＤ：５）及びＣＴＡＣＴＣＡＡＣＡＡＡＡＡＣＡＡＡ（ＳＥＱ−ＩＤ：６）が図１に示される。ここで、増幅産物１０３位置に存在する、ＥＬＫ−１断片のシトシンが、もし、メチル化されていれば、ＣＴＡＣＴＣＡＡＣＧＡＡＡＡＣＡＡＡ（ＳＥＱ−ＩＤ：５）が優先的にハイブリッド化され、もし、このシトシンが非メチル化であれば、ＣＴＡＣＴＣＡＡＣＡＡＡＡＡＣＡＡＡ（ＳＥＱ−ＩＤ：６）が優先的にハイブリッド化される。
【０１２６】
図１には、プロモーター断片により、ハイブリッド化された一つのチップが示される。スキャナーによるため、実際のものとは異なる表示がされている。ここに示された黒〜白の画像とは異なりスキャナーでは一色の画像になる。複数の色の強度はハイブリッド化の程度を表している。このとき、ハイブリッド化度は赤（図１では、明るいスポットとして認識される）から、ブルー（図１では、薄ぐらいスポットとして認識される）まで減少する。
【０１２７】
（実施例７）
鋳型ＤＮＡの製造及びＧＳＴp1ＰＣＲの創造
鋳型ＤＮＡとしてヒト末梢血液から採取されたＤＮＡが使用され、無処理で、試験管中で、重亜硫酸塩処理の一種を伴う、酵素的メチル化を施される。全てのＣＧジヌクレオチッドのメチル化が、ＤＮＡの６μｇが反応液１５０μｌ中に加えられ、SssI（New England Biolabs、Frankfurt/Main）と共にメーカーの手引書にしたがって、行なわれた。重亜硫酸塩処理は公知の方法により行なわれた[Olek A、Oswald J、Walter J. 変化し、且つ、改善された、重亜硫酸塩ベースのシトシンメチル化解析法。Nucleic Acids Res. 1996 Dec. 15; 24（24）: 5064~6]。
【０１２８】
１５３塩基対ＧＳＴp1断片（配列中の位置１２４２〜１３９３Acc-Nr、M24485.1）が重亜硫酸塩ＤＮＡ特異性プライマーである、２cf ＧＴＴＴＴ（ＣＴ）ＧＴＴＡＴＴＡＧＴＧＡＧＴ及び２cr ＴＣＣＴＡＡＡＴＣＣＣＣＴＡＡＡＣＣで、２５μｌ反応液（1x反応緩衝液、Qiagen;1 U HotstarTaq、Qiagen; dNTPs 各200μM、各プライマー 500nM、0.05〜10 ng重亜硫酸塩処理鋳型ＤＮＡ）中、以下のＰＣＲ条件（95℃〜15分；46サイクル：96℃〜0.45分、52℃〜0.45分、72℃〜0.20分；72℃〜10分）下増幅される（図９及び１０参照）。ＧＳＴp1断片の配列化により、ヒト末梢血液からの、この断片のＤＮＡはメチル化ＣＧジヌクレオチッドを所有しない。それに対して、SssI処理ＤＮＡでは全てのＣＧジヌクレオチッドメチル化タイプである（図９参照）。ＧＳＴp1断片の配列化は他の結果を実証する（例えば、WO9955905）、即ち、ＧＳＴp1遺伝子において、公知の配列（遺伝子バンク、Acc-Nr.M24485.1）とは逆に、一つの付加的Ｇヌクレオチッドが存在する（遺伝子バンクのAcc-Nr.M24485.1の位置1273〜1274間；ＧＳＴp1ＰＣＲ断片の位置33、図９参照）。ＰＣＲ効率に関して、ＣpＧメチル化及びＣpＧ非メチル化鋳型ＤＮＡの間には差異はない（図１０参照）。
【０１２９】
（実施例８）
メチル化ＧＳＴp1断片の選択的増幅
図１１はメチル化ＧＳＴp1断片の選択的増幅の実験設計を図示したものである。ＧＳＴp1断片の、プライマー２cf ＧＴＴＴＴ（ＣＴ）ＧＴＴＡＴＴＡＧＴＧＡＧＴ及び２cr ＴＣＣＴＡＡＡＴＣＣＣＣＴＡＡＡＣＣによる、非メチル化鋳型ＤＮＡにおける増幅は、その配列が非メチル化、重亜硫酸塩処理ＤＮＡに対応する、二つのブロックカーオリゴヌクレオチッド（Ｂ５＋９ＦＴ６、ＧＴＧＡＧＴＡＴＧＴＧＴＧＧＴＴＴＧＴＧＴ−Ｐ；Ｂ１５＋１７ＲＴ１１、ＴＡＡＡＣＣＣＣＣＡＴＣＣＣＡＡＡＴＣＴＣＡ−Ｐ、図１１参照）阻害される。これらのオリゴヌクレオチッドは、ＰＣＲの間その伸長を阻害するために、３’末端で、フォスフェートグループによって変化させられる。ＰＣＲは２５μｌの反応液で、以下のサイクルプログラム（95℃〜15分；46サイクル：96℃〜0.45分、52℃〜0.45分、72℃〜0.20分；72℃〜10分）で実施される。ＰＣＲ開始時には下記の反応液組成で実施される。即ち、1x反応緩衝液（Qiagen、Hilden）；２ U HotstarTaq（Qiagen、Hilden）； dNTPs 各200μM、各プライマー 500nM、各ブロックカー 10μM（Ｂ５＋９ＦＴ６、ＧＴＧＡＧＴＡＴＧＴＧＴＧＧＴＴＴＧＴＧＴ−Ｐ及びＢ１５＋１７ＲＴ１１、ＴＡＡＡＣＣＣＣＣＡＴＣＣＣＡＡＡＴＣＴＣＡ−Ｐ）、20ng〜20pg重亜硫酸塩処理鋳型ＤＮＡ。このＰＣＲ条件下、ＧＳＴp1断片の増幅が２５μgの非メチル化鋳型ＤＮＡにおいて、完全に行なうことができる（図１２Ａシュプール８参照）。ＧＳＴp1断片の増幅はブロックカーオリゴヌクレオチッドなしのＰＣＲで実施される（図１２Ａシュプール８参照）。ＧＳＴp1ＰＣＲ産物が同じＰＣＲ条件下、ブロックカーオリゴヌクレオチッドの共存またはなしで、１００pgのメチル化鋳型ＤＮＡにおいて検出される（図１２、Ｃシュプール７、Ｆシュプール７参照）。ＰＣＲの絶対的感度は少なくとも１００pgのメチル化鋳型ＤＮＡにおいて実現する。
【０１３０】
ＰＣＲの相対的感度を調査するため、非メチル化鋳型ＤＮＡのメチル化鋳型ＤＮに対する比１：１〜１：１０００である、非メチル化鋳型ＤＮＡ及びメチル化鋳型ＤＮＡの混合物が製造された。このＤＮＡ混合物の製造のため、ヒト末梢血液（Promega Madison; USA）から採取されたＤＮＡ、SssI処理ＤＮＡ（実施例7参照）が前記比で混合され、次で、重亜硫酸塩処理された。この鋳型ＤＮＡ混合物（２５μgトータルＤＮＡ）における、ブロックカーオリゴヌクレオチッドの共存またはなしで、行なわれたＰＣＲの結果は図１２のＡ、Ｂまたは図１２のＤ、Ｅに示される。この結果は、メチル化ＧＳＴp1遺伝子の一つのコピーが複製可能な非メチル化ＧＳＴp1遺伝子の２００コピーのバックグラウンドで、検出され得ることを示している。１：１０００の相対感度は、ＰＣＲ条件を、更に最善のものにすることによって、達成できると見なされる（図１２Ｂシュプール７）。
【０１３１】
ＰＣＲ産物の配列解析はＤＮＡ混合物（非メチル化ＤＮＡのメチル化ＤＮに対する比が１：２００）をＢブロックカーを使用し（図１２Ａシュプール６）または使用しない（図１２Ｄシュプール６）で、期待する成果を示した。ブロッカーなしのＰＣＲで生成するＰＣＲ産物は、非メチル化ＧＳＴp1遺伝子に対応し、それに対し、ブロッカーオリゴヌクレオチッドが存在する、ＰＣＲで生成するＧＳＴp1遺伝子断片はメチル化された後成的位置を有する。
【０１３２】
他のｄｄＮＴＰまたは付加的ヌクレオチッドのようなＧＳＴp1ヌクレオチド配列に対応しない、３’変成（化学変化）の実験は大成功であった。
【０１３３】
（実施例９）
光サイクラーにおけるメチル化ＧＳＴp1遺伝子断片の選択的増幅
光サイクラー（Roche）はＰＣＲ及び同時に実施する検出及びＰＣＲ産物の解析を実施する装置である。装置の操作はメーカーの手引書による。ＰＣＲの量的、質的解析は光サイクラー・ソフトウエア・ヴァージョン３．５にしたがって行なわれる。
【０１３４】
メチル化ＧＳＴp1遺伝子断片の選択的増幅は、１０μｌ反応液{1x反応緩衝液（Qiagen、Hilden）；５ U HotstarTaq（Qiagen、Hilden）； dNTPs 各250μM、各プライマー 625nM、[２cf、ＧＴＴＴＴ（ＣＴ）ＧＴＴＡＴＴＡＧＴＧＡＧＴ及び２crＴＣＣＴＡＡＡＴＣＣＣＣＴＡＡＡＣＣ]、ブロックカー4μM（Ｂ５＋９ＦＴ１６、ＧＴＧＡＧＴＡＴＧＴＧＴＧＧＴＴＴＧＴＧＴＴ−Ｐ）、0.25μg/μlＢＳＡ（Sigma、Muenchen）、250nMアンカーオリゴヌクレオチッド（GSTp1-Fluo、ＴＴＴＡＧＡＧＴＴＴＴＴＡＧＴＡＴＧＧＧＧＴＴＡＡＴＴ−フルオレセイン；TibMo1Biol、Berlin）、250nMハイブリッド化ゾンデ（GSTp1-Red 705、Red 705−ＧＴＡＴＴＡＧＧＴＴＴＧＧＧＴＴＴＴＴＧＧＴ−Ｐ；TibMo1Biol、Berlin）及び／または（GSTp1-Red650 、Red 650−ＴＡＧＴＡＴＴＡＧＧＴＴＣＧＧＧＴＴＴＴＣＧＧ−Ｐ、 TibMo1Biol、Berlin）、20ng〜20pg鋳型ＤＮＡ}で、以下のサイクラープログラムにより実施される。即ち、プログラムは95℃〜15分；46サイクル：変性96℃〜4秒、アニール52℃〜30秒、伸長72℃〜20秒で実施される。検出は各増幅サイクルで、遺伝子及びメチル化特異性光サイクラー検出ゾンデにより、アニール段階、１０秒で行なわれた。ＧＳＴpＰＣＲ断片の検出はメチル化特異性アンカーゾンデ、GSTp１-Fluo及びメチル化特異性ゾンデGSTp１-Red 705またはメチル化特異性ゾンデGSTp1-Red 650の一つとＰＣＲ断片でハイブリッド化されるときに行なわれた。
【０１３５】
検出ゾンデのメチル化特異性の検査は、各１５ngの重亜硫酸塩処理メチル化鋳型ＤＮＡ及び重亜硫酸塩処理非チル化鋳型ＤＮを光サイクラーで増幅して行なわれる。検出にはＰＣＲはアンカーゾンデGSTp１-Fluo及びハイブリッド化ゾンデGSTp１-Red 705及びGSTp1-Red 650の等量混合物を含む。メチル化GSTp1遺伝子、GSTp1-Red 650のためのゾンデの蛍光物質は、光サイクラーのＦ１／Ｆ２検出溝で測定され、それに対して、非メチル化GSTp1遺伝子、GSTp1-Red 705のためゾンデはＦ３／Ｆ１検出溝で測定される（図１３参照）。実験によって、GSTp1-Red 650が特異的にメチル化GSTp1遺伝子を検出し、非メチル化ヴァージョンは蛍光信号を発しないことを示した（図１３Ａ参照）。ゾンデGSTp１-Red 705は、非メチル化及びメチル化GSTp1遺伝子の比較では、後者が著しく効果を低下させることを検知した（図１３Ｂ参照）。
【０１３６】
メチル化GSTp1断片の増幅の絶対及び相対感度は実施例８と同様に調査される。絶対感度の決定は、GSTp1ＰＣＲが異なる量のメチル化、重亜硫酸塩処理、鋳型ＤＮＡで、ブロッカーオリゴヌクレオチッドの存在及び不存在下で、光サイクラーで、実施される。検出には、アンカーゾンデの他に、ハイブリッド化ゾンデ、GSTp1-Red650が使用された。結果は図１４に纏めて示した。交差点の計算は、光サイクラー・ソフトウエア・ヴァージョン３．５にしたがって行なわれ、そこで、GSTp1ＰＣＲ産物が最初に、ネガティブコントロールとしてのより高い信号で、検出され得るところのＰＣＲサイクルの数値が与えられる。これは、交差点の値が低くなればなるほど、益々、GSTp1断片の増幅が効率的に行なわれることを意味する。交差点が与えられないということは、ＰＣＲ産物が検出され得ないことを意味する。表示された実験において、GSTp1が、ブロッカーの存在下、７５pgのメチル化、重亜硫酸塩処理、鋳型ＤＮＡによって増幅され得る（図１４参照）。
【０１３７】
相対感度の決定は、GSTp1のＰＣＲが２０ngの鋳型ＤＮＡ混合物（実施例８参照）と共に、ブロッカーオリゴヌクレオチッドの存在及び不存在下で、実施される。検出には、ＰＣＲは、アンカーゾンデGSTp１-Fluo及び、ハイブリッド化ゾンデGSTp１-Red 705とGSTp1-Red 650の等量混合物、を含む。メチル化GSTp1遺伝子、GSTp1-Red 650のためのゾンデの蛍光物質は、光サイクラーのＦ１／Ｆ２検出溝で測定され、それに対して、非メチル化GSTp1遺伝子、GSTp1-Red 705のためゾンデはＦ３／Ｆ１検出溝で測定される。
【０１３８】
得られた交差点は、ブロッカーオリゴヌクレオチッドの存在下のＰＣＲでは、
メチル化ＧＳＴp1遺伝子の一つのコピーが、複製可能な非メチル化ＧＳＴp1遺伝子の２００コピーのバックグラウンドで、検出され得ることを示している（図１５参照、ローター位置３、Ｆ１／Ｆ２分割）。同じ条件下、GSTp1遺伝子の増幅は１５ngの非メチル化、重亜硫酸塩処理、鋳型ＤＮＡによって、完全に抑制される（図１５参照、ローター位置１９及び９、Ｆ３／Ｆ１分割）。
【０１３９】
（実施例１０）
タクマンによるメチル化ＧＳＴp1の選択的増幅
タクマン（Applied Biosystems、Weiterstadt）はＰＣＲの実施及びＰＣＲ産物の検出及び解析を同時に行なうもう一つの装置である。装置の取り扱いはメーカーの手引書に従がって行なう。ＰＣＲの量的及び質的解析はタクマンソフトウエアによって行なう。
【０１４０】
メチル化ＧＳＴp1断片の選択的増幅は、２０μｌ反応液{1x反応緩衝液（Applied Biosystems）；２ U Amplitaq Gold（Applied Biosystems）；3.5mM MgCl2、 dNTPs 各400μM、各プライマー 500nM、[２cft、ＧＴＴＴＴ（ＣＴ）ＧＴＴＡＴＴＡＧＴＧＡＧＴＡ；２cr、ＴＣＣＴＡＡＡＴＣＣＣＣＴＡＡＡＣＣ]、ブロックカー1を7.5μM（Ｂ５＋９ＦＴ６、ＧＴＧＡＧＴＡＴＧＴＧＴＧＧＴＴＴＧＴＧＴ−Ｐ）、ブロックカー2を7.5μM（Ｂ１５＋１７ＲＴ１９、ＴＡＡＡＣＣＣＣＣＡＴＣＣＣＡＡＡＴＣＴＣ−Ｐ）、450nMタクマンゾンデ（Taq1、ブラックホール−ＴＡＡＴＴＣＧＴＡＧＴＡＴＴＡＧＧＴＴＣＧＧＧＴＴＴＴＣＧＧＴＡＧＧＧ−ＦＡＭ；Biosearch Technologies）、10ng鋳型ＤＮＡ}中で、下記のサイクラープログラムで実施された。即ち、プログラムは95℃〜10分；3サイクル：変性96℃〜15秒、アニール60℃〜60秒；3サイクル：変性96℃〜15秒、アニール58℃〜30秒、伸長60℃〜30秒；3サイクル：変性96℃〜15秒、アニール55℃〜30秒、伸長60℃〜30秒；40サイクル：変性96℃〜15秒、アニール52℃〜30秒、伸長60℃〜40秒で実施された。検出は各増幅サイクルで、遺伝子特異性タクマンゾンデにより、伸長段階後に行なわれた。
【０１４１】
相対感度の決定は、GSTp1のＰＣＲが１０ngの鋳型ＤＮＡ混合物（実施例８参照）と共に、ブロッカーオリゴヌクレオチッドの存在及び不存在下で、実施された（図１６）。サイクル閾の計算はタクマン・ソフトウエアにしたがって行なわれ、光サイクラーの交差点の値に比較可能な、GSTp1ＰＣＲ産物が最初に、ネガティブコントロールとしてのより高い信号で、検出され得るところのＰＣＲサイクルの数値が与えられる。これは、サイクル閾値が低くなればなるほど、益々、GSTp1断片の増幅が効率的に行なわれることを意味する。
【０１４２】
得られたサイクル閾値は、ブロッカーオリゴヌクレオチッドの存在下のＰＣＲでは、メチル化ＧＳＴp1遺伝子の一つのコピーが、複製可能な非メチル化ＧＳＴp1遺伝子の２００コピーのバックグラウンドで、検出され得ることを示している（図１６参照）。これは５０pgのメチル化鋳型ＤＮＡの絶対的感度に対応する。同じ条件下、GSTp1遺伝子の増幅は１０ngの非メチル化、重亜硫酸塩処理、鋳型ＤＮＡによって、完全に抑制される（図１６参照。）
【０１４３】
（図面の説明）
図１０：GSTp1ＰＣＲ断片のアガロースゲル。
ＰＣＲは１０ng、５ng、１ng、０．５ng、０．１ngのメチル化（Ａ）及び非メチル化（Ｂ）、重亜硫酸塩処理鋳型ＤＮＡで実施された。
【０１４４】
図１１：プライマー位置及びブロックカーオリゴヌクレオチッドを有するGSTp1断片の配列。
【０１４５】
図１２：GSTp1ＰＣＲ断片のアガロースゲル。
メチル化ＧＳＴp1遺伝子の増幅の相対的感度（Ａ、Ｂ、Ｄ、Ｅ）及び絶対的感度（Ｃ、Ｆ）が解析された。GSTp1ＰＣＲが、ブロッカーオリゴヌクレオチッドの存在下（Ａ、Ｂ、Ｃ）及び非存在下（Ｄ、Ｅ、Ｆ）実施される。鋳型ＤＮＡとして、２０ngのメチル化、重亜硫酸塩処理、ＤＮＡ（Ａ１、Ｂ１、Ｄ１、Ｅ１、Ｃ１、Ｆ１、Ｃ２、Ｆ２）及び非メチル化、重亜硫酸塩処理、ＤＮＡ（Ａ８、Ｂ８、Ｄ８、Ｅ８）；メチル化及び非メチル化、重亜硫酸塩処理、ＤＮＡの１：２混合物（Ａ２、Ｂ２、Ｄ２、Ｅ２）、１：１０混合物（Ａ３、Ｂ３、Ｄ３、Ｅ３）、１：２０混合物（Ａ４、Ｂ４、Ｄ４、Ｅ４）、１：１００混合物（Ａ５、Ｂ５、Ｄ５、Ｅ５）、１：２００（Ａ６、Ｂ６、Ｄ６、Ｅ６）、１：１０００（Ａ７、Ｂ７、Ｄ７、Ｅ７）；１０ng（Ｃ３、Ｆ３）、２ng（Ｃ４、Ｆ４）、１ng（Ｃ５、Ｆ５）、０．２ng（Ｃ６、Ｆ６）、０．１ng（Ｃ７、Ｆ７）、０．０２ng（Ｃ８、Ｆ８）、メチル化、重亜硫酸塩処理、ＤＮＡの存在及びＤＮＡの非存在（Ｃ９、Ｆ９）。
【０１４６】
図１３：検出ゾンデのメチル化特異性の解析。
図はメチル化、重亜硫酸塩処理、ＤＮＡ（実線）、非メチル化、重亜硫酸塩処理、ＤＮＡ（点線）のＧＳＴp1ＰＣＲの間の蛍光物質の変化を示し、ハイブリッド化ソンデＧＳＴp1-Red650（Ａ）及びハイブリッド化ソンデＧＳＴp1-Red705（Ｂ）検出されている。
【０１４７】
図１４：光サイクラーによる、ＧＳＴp1ＰＣＲの絶対感度の決定。
ＧＳＴp1ＰＣＲはブロックカーオリゴヌクレオチッド（ローター位置９、１０、１１、１２、１３、１４、１５、１６、１８）及びブロックカーオリゴヌクレオチッドなしで（ローター位置１、２、３、４、５、６、７、８、１７）、行なわれた。鋳型ＤＮＡとしては、以下のものが使用される。即ち、メチル化重亜硫酸塩処理ＤＮＡ７．５ng（ローター位置１、９）、３．７ng（ローター位置２、１０）、０．７５（ローター位置３、１１）、０．３７ng（ローター位置４、１２）、０．０７５ng（ローター位置５、１３）、０．０３７ng（ローター位置６、１４）、
０．０１５ng（ローター位置７、１５）、０．００７５ng（ローター位置８、１６）及びＤＮＡなし（ローター位置１７、１８）である。
【０１４８】
図１５：メチル化ＧＳＴp1遺伝子の増幅の相対的感度の決定。
メチル化ＧＳＴp1遺伝子の増幅は光サイクラーによって行なわれた。ハイブリッド化ゾンデＧＳＴp1-Red650（Ｆ２／Ｆ１、交差点）及びＧＳＴp1-Red705（Ｆ３／Ｆ１、交差点）による検出は提示されている。ＧＳＴp1ＰＣＲは、ブロックカーオリゴヌクレオチッド（ローター位置１１、１２、１３、１４、１５、１７、１８、１９、２０）及びブロックカーオリゴヌクレオチッドなしで（ローター位置１、２、３、４、５、６、７、８、９、１０）で行なわれる。鋳型ＤＮＡとしては、以下のものが使用される。即ち、メチル化重亜硫酸塩処理ＤＮＡ１５ng（ローター位置１、１１）、及びメチル化重亜硫酸塩処理ＤＮＡ１５ng（ローター位置１０、２０）、メチル化重亜硫酸塩処理ＤＮＡ及び非メチル化重亜硫酸塩処理ＤＮＡの組成比１：２の混合物（ローター位置２、１２）、１：１０（ローター位置３、１３）、１：２０（ローター位置４、１４）、１：１００（ローター位置５、１５）、１：５００（ローター位置７、１７）、１：１０００（ローター位置８、１８）及びＤＮＡなし（ローター位置１０、２０）である。
【０１４９】
図１６：メチル化ＧＳＴp1遺伝子の増幅の相対的感度の決定。
メチル化ＧＳＴp1遺伝子の増幅はタクマンによって行なわれた。
【産業上の利用可能性】
【０１５０】
本発明の方法を、患者または各個人にとって、好ましくない症状の診断及び／または予診のために使用することができる。
【図面の簡単な説明】
【０１５１】
【図１】プロモーター断片により、ハイブリッド化された一つのチップを示す。
【図２】アガロース電気泳動法による分析結果を示す。
【図３】比較的低濃度の、３種類の、１３量体ＰＮＡがＰＣＲに添加された場合の、電気泳動法による分析結果が示されている。
【図４】ＧＳＴp１遺伝子の断片のメチル化感受性増幅実験結果を示す。
【図５】ＰＮＡのＧＳＴＰアップの前立腺組織の被試験ＤＮＡへの添加は、ＰＣＲヘの強い阻害的影響を与えることを示す。
【図６】与えられた鋳型配列において、メチル化感受性増幅の考えで、プライマーが配列される、多数の可能性が示されている。
【図７】与えられた、鋳型配列プライマー及びゾンデ（ブロッカー）が、メチル化感受性増幅の思考で配列される様子を示す。
【図８】何れのプライマーとも重複しない、ゾンデが使用されている、フォワード及び逆プライマーの類似例が示されている。
【図９】ＧＳＴp1断片が、重亜硫酸塩ＤＮＡ特異性プライマーで、特定反応液中、特定ＰＣＲ条件下増幅された結果を示す。
【図１０】ＧＳＴp1断片が、重亜硫酸塩ＤＮＡ特異性プライマーで、特定反応液中、特定ＰＣＲ条件下増幅された結果を示す。
【図１１】プライマー位置及びブロックカーオリゴヌクレオチッドを有するGSTp1断片の配列を示す。
【図１２】GSTp1ＰＣＲ断片のアガロースゲルを示す。
【図１３】検出ゾンデのメチル化特異性の解析結果を示す。
【図１４】光サイクラーによる、ＧＳＴp1ＰＣＲの絶対感度の決定結果を示す。
【図１５】メチル化ＧＳＴp1遺伝子の増幅の相対的感度の決定結果を示す。
【図１６】メチル化ＧＳＴp1遺伝子の増幅の相対的感度の決定結果を示す。
【図１】
2004527241.tif 000002
【図２】
2004527241.tif 000003
【図３】
2004527241.tif 000004
【図４】
2004527241.tif 000005
【図５】
2004527241.tif 000006
【図６】
2004527241.tif 000007
【図７】
2004527241.tif 000008
【図８】
2004527241.tif 000009
【図９】
2004527241.tif 000010
【図１０】
2004527241.tif 000011
【図１１】
2004527241.tif 000012
【図１２】
2004527241.tif 000013
【図１３】
2004527241.tif 000014
【図１４】
2004527241.tif 000015
【図１５】
2004527241.tif 000016
【図１６】
2004527241.tif 000017
【国際公開パンフレット】
2004527241.tif 000018
2004527241.tif 000019
2004527241.tif 000020
2004527241.tif 000021
2004527241.tif 000022
2004527241.tif 000023
2004527241.tif 000024
2004527241.tif 000025
2004527241.tif 000026
2004527241.tif 000027
2004527241.tif 000028
2004527241.tif 000029
2004527241.tif 000030
2004527241.tif 000031
2004527241.tif 000032
2004527241.tif 000033
2004527241.tif 000034
2004527241.tif 000035
2004527241.tif 000036
2004527241.tif 000037
2004527241.tif 000038
2004527241.tif 000039
2004527241.tif 000040
2004527241.tif 000041
2004527241.tif 000042
2004527241.tif 000043
2004527241.tif 000044
2004527241.tif 000045
2004527241.tif 000046
2004527241.tif 000047
2004527241.tif 000048
2004527241.tif 000049
2004527241.tif 000050
2004527241.tif 000051
2004527241.tif 000052
2004527241.tif 000053
2004527241.tif 000054
2004527241.tif 000055
2004527241.tif 000056
2004527241.tif 000057
2004527241.tif 000058
2004527241.tif 000059
2004527241.tif 000060
2004527241.tif 000061
2004527241.tif 000062
2004527241.tif 000063
2004527241.tif 000064
2004527241.tif 000065
2004527241.tif 000066
2004527241.tif 000067
2004527241.tif 000068
2004527241.tif 000069
2004527241.tif 000070
2004527241.tif 000071
2004527241.tif 000072
2004527241.tif 000073
2004527241.tif 000074
2004527241.tif 000075
2004527241.tif 000076
2004527241.tif 000077
2004527241.tif 000078
2004527241.tif 000079
2004527241.tif 000080
2004527241.tif 000081
2004527241.tif 000082
2004527241.tif 000083
2004527241.tif 000084
2004527241.tif 000085
2004527241.tif 000086
2004527241.tif 000087
2004527241.tif 000088
2004527241.tif 000089
2004527241.tif 000090
2004527241.tif 000091
2004527241.tif 000092
2004527241.tif 000093
2004527241.tif 000094
2004527241.tif 000095
2004527241.tif 000096
2004527241.tif 000097
2004527241.tif 000098
2004527241.tif 000099
【国際公開パンフレット（コレクトバージョン）】
2004527241.tif 000100
【国際調査報告】
2004527241.tif 000101
2004527241.tif 000102
2004527241.tif 000103
2004527241.tif 000104
2004527241.tif 000105
2004527241.tif 000106